(57)【要約】【課題】表示データに基づいて、表示パネルの複数の領域の複数のソース線に階調信号を出力する、第１と第２の表示ドライバを含む複数の表示ドライバを備える表示装置において、表示ドライバのチップ面積の増大や、表示パネルの配線面積の増加を最小限に抑え、且つノイズ耐性を高く保ちながら、複数の表示ドライバ間での出力電圧のばらつきを抑える。【解決手段】複数の表示ドライバのそれぞれは、表示データに対応する階調信号を生成するための複数のグレースケール基準電圧を生成可能であり、第１表示ドライバは、第２表示ドライバに対して、自己の生成した複数のグレースケール基準電圧を順次伝送可能に構成される。第２表示ドライバは、伝送されたグレースケール基準電圧に基づいて、第１表示ドライバと第２表示ドライバでそれぞれ生成されるグレースケール基準電圧の差の絶対値を小さくする較正を、第１表示ドライバに実行させ、または自身で実行する。【選択図】図１
2015079187.tif 000002
【特許請求の範囲】
【請求項１】
表示データに基づいて、表示パネルの複数のソース線に階調信号を出力可能な第１表示ドライバと、前記表示パネルの他の複数のソース線に階調信号を出力可能な第２表示ドライバとを備える表示装置であって、
前記第１表示ドライバと前記第２表示ドライバのそれぞれは、前記表示データに対応する階調信号を生成するための複数のグレースケール基準電圧を生成可能に構成され、
前記第１表示ドライバは、前記第２表示ドライバに対して、自己の生成した前記複数のグレースケール基準電圧を順次伝送可能に構成され、
前記第２表示ドライバは、前記順次伝送されたグレースケール基準電圧に基づいて、前記第１表示ドライバで生成されるグレースケール基準電圧と前記第２表示ドライバで生成されるグレースケール基準電圧との差の絶対値を小さくする較正を実行可能に構成される、
表示装置。
【請求項２】
請求項１において、前記第２表示ドライバは、前記順次伝送されたグレースケール基準電圧と自己の生成した前記複数のグレースケール基準電圧のうちの対応するグレースケール基準電圧とを比較し、前記比較の結果に基づいて較正値を算出し、前記較正値を前記第１表示ドライバに対して伝送可能に構成され、
前記第１表示ドライバは伝送された前記較正値に基づいて、自己の生成するグレースケール基準電圧を変更可能に構成される、
表示装置。
【請求項３】
請求項２において、前記表示装置は、前記第１表示ドライバと前記第２表示ドライバが階調電圧を出力する複数のソース線とは異なる、前記表示パネルの複数のソース線に階調信号を出力可能な第３表示ドライバをさらに備え、
前記第３表示ドライバは、前記表示データに対応する階調信号を生成するための複数のグレースケール基準電圧を生成可能に構成され、
前記第３表示ドライバは、前記第２表示ドライバに対して、自己の生成した前記複数のグレースケール基準電圧を順次伝送可能に構成され、
前記第２表示ドライバは、前記順次伝送されたグレースケール基準電圧と自己の生成した前記複数のグレースケール基準電圧のうちの対応するグレースケール基準電圧とを比較し、前記比較の結果に基づいて較正値を算出し、前記較正値を前記第３表示ドライバに対して伝送可能に構成され、
前記第３表示ドライバは伝送された前記較正値に基づいて、自己の生成するグレースケール基準電圧を変更可能に構成される、
表示装置。
【請求項４】
請求項１において、前記第２表示ドライバは、前記順次伝送されたグレースケール基準電圧と自己の生成した前記複数のグレースケール基準電圧のうちの対応するグレースケール基準電圧とを比較し、前記比較の結果に基づいて、自己の生成するグレースケール基準電圧を変更可能に構成される、
表示装置。
【請求項５】
請求項４において、前記表示装置は、前記第１表示ドライバと前記第２表示ドライバが階調電圧を出力する複数のソース線とは異なる、前記表示パネルの複数のソース線に階調信号を出力可能な第４表示ドライバをさらに備え、
前記第４表示ドライバは、前記表示データに対応する階調信号を生成するための複数のグレースケール基準電圧を生成可能に構成され、
前記第１表示ドライバは、前記第２表示ドライバと前記第４表示ドライバに対して並行して、自己の生成した前記複数のグレースケール基準電圧を順次伝送可能に構成され、
前記第４表示ドライバは、前記順次伝送されたグレースケール基準電圧と自己の生成した前記複数のグレースケール基準電圧のうちの対応するグレースケール基準電圧とを比較し、前記比較の結果に基づいて、自己の生成するグレースケール基準電圧を変更可能に構成される、
表示装置。
【請求項６】
請求項１から請求項５のうちのいずれか１項において、前記第２表示ドライバは、アナログ／ディジタル変換器と、記憶回路と、演算回路とを備え、
前記アナログ／ディジタル変換器は、前記第２表示ドライバが生成したグレースケール基準電圧と前記順次伝送されたグレースケール基準電圧とをそれぞれ随時ディジタル値に変換可能であり、
前記記憶回路は、前記ディジタル値を記憶可能であり、
前記演算回路は、前記記憶回路に記憶されたディジタル値を読み出して比較及び／または除算を実行することにより、前記較正を実行可能に構成される、
表示装置。
【請求項７】
請求項１から請求項５のうちのいずれか１項において、前記第２表示ドライバは、アナログ比較器と、記憶回路と、演算回路とを備え、
前記アナログ比較器は、前記第２表示ドライバが生成したグレースケール基準電圧と前記伝送されたグレースケール基準電圧とをそれぞれ随比較可能であり、
前記記憶回路は、前記比較結果を記憶可能であり、
前記演算回路は、前記記憶回路に記憶された比較結果を読み出して演算を実行することにより、前記較正を実行可能に構成される、
表示装置。
【請求項８】
請求項７において、前記第２表示ドライバは、前記アナログ比較器の入力を相互に入れ替えることができるスイッチをさらに備え、
前記アナログ比較器の一方の入力端子に前記第２表示ドライバが生成したグレースケール基準電圧が入力され、前記アナログ比較器の他方の入力端子に前記伝送されたグレースケール基準電圧が入力された場合の、第１比較結果が前記記憶回路に格納され、
前記スイッチを切り替えることにより、前記アナログ比較器の前記一方の入力端子に前記伝送されたグレースケール基準電圧が入力され、前記アナログ比較器の前記他方の入力端子に前記第２表示ドライバが生成したグレースケール基準電圧が入力された場合の、第２比較結果が前記記憶回路に格納され、
前記演算回路は、前記第１比較結果と前記第２比較結果に基づいて、前記較正を実行可能に構成される、
表示装置。
【請求項９】
請求項１から請求項８のうちのいずれか１項において、前記較正は、電源投入時に実行可能に構成される、
表示装置。
【請求項１０】
請求項９項において、前記較正は、さらに表示の帰線期間に実行可能に構成される、
表示装置。
【請求項１１】
請求項１から請求項８のうちのいずれか１項において、前記較正の結果を保持可能な不揮発性メモリを備える、
表示装置。
【請求項１２】
請求項１において、前記第２表示ドライバは、前記複数のグレースケール基準電圧に対応する複数のサンプル・ホールド回路を備え、前記伝送されたグレースケール基準電圧を、対応するサンプル・ホールド回路に取り込んで保持可能に構成され、
前記第２表示ドライバは、保持されたグレースケール基準電圧に基づいて、自己の複数のグレースケール基準電圧を生成可能に構成される、
表示装置。
【請求項１３】
表示データに基づいて、表示パネルの複数のソース線に階調信号を出力可能な表示ドライバであって、
前記表示パネルの他の複数のソース線に階調信号を出力可能な他の表示ドライバとともに表示装置に搭載されることが可能であり、
前記表示ドライバと前記他の表示ドライバのそれぞれは、前記表示データに対応する階調信号を生成するための複数のグレースケール基準電圧を生成可能に構成され、
前記表示ドライバは、前記他の表示ドライバに対して、自己の生成した前記複数のグレースケール基準電圧を順次伝送可能に構成され、
前記表示ドライバまたは前記他の表示ドライバの少なくとも一方は、前記伝送されたグレースケール基準電圧に基づいて、それぞれが生成するグレースケール基準電圧の差の絶対値を小さくする較正を実行可能に構成される、
表示ドライバ。
【請求項１４】
請求項１３項において、前記他の表示ドライバは、前記伝送されたグレースケール基準電圧と、自己が生成したグレースケール基準電圧とを比較することにより、前記差の絶対値を小さくするための較正値を算出し、前記較正値を前記表示ドライバに伝送可能に構成され、
前記表示ドライバは、伝送された前記較正値に基づいて、自己が生成した前記複数のグレースケール基準電圧を較正可能に構成される、
表示ドライバ。
【請求項１５】
請求項１３項において、前記他の表示ドライバは、前記伝送されたグレースケール基準電圧と、自己が生成したグレースケール基準電圧とを比較することにより、前記差の絶対値を小さくするために、自己が生成した前記複数のグレースケール基準電圧を較正可能に構成される、
表示ドライバ。
【請求項１６】
表示データに基づいて、表示パネルの複数のソース線に階調信号を出力可能な表示ドライバであって、
前記表示パネルの他の複数のソース線に階調信号を出力可能な他の表示ドライバとともに表示装置に搭載されることが可能であり、
前記表示ドライバと前記他の表示ドライバのそれぞれは、前記表示データに対応する階調信号を生成するための複数のグレースケール基準電圧を生成可能に構成され、
前記表示ドライバは、前記他の表示ドライバから、生成した前記複数のグレースケール基準電圧を順次受信可能に構成され、受信したグレースケール基準電圧と自己が生成したグレースケール基準電圧を比較可能に構成され、
前記表示ドライバまたは前記他の表示ドライバの少なくとも一方は、前記比較結果に基づいて、それぞれが生成するグレースケール基準電圧の差の絶対値を小さくする較正を実行可能に構成される、
表示ドライバ。
【請求項１７】
請求項１６項において、
前記表示ドライバは、前記比較結果に基づいて、それぞれが生成するグレースケール基準電圧の差の絶対値を小さくするための較正値を算出し、前記他の表示ドライバに対して送出可能に構成され、
前記他の表示ドライバは、受信した前記較正値に基づいて、自己が生成した前記複数のグレースケール基準電圧を較正可能に構成される、
表示ドライバ。
【請求項１８】
請求項１６項において、
前記表示ドライバは、前記比較結果に基づいて、それぞれが生成するグレースケール基準電圧の差の絶対値を小さくするために、自己が生成した前記複数のグレースケール基準電圧を較正可能に構成される、
表示ドライバ。
【請求項１９】
表示データに基づいて、表示パネルの複数のソース線に階調信号を出力可能な表示ドライバであって、
前記表示パネルの他の複数のソース線に階調信号を出力可能な他の表示ドライバとともに表示装置に搭載されることが可能であり、
前記表示ドライバと前記他の表示ドライバのそれぞれは、前記表示データに対応する階調信号を生成するための複数のグレースケール基準電圧を生成可能に構成され、
前記表示ドライバは、マスターモードとスレーブモードの動作モードを有し、
前記マスターモードにおいて、
前記表示ドライバは、スレーブモードで動作する前記他の表示ドライバから、生成した前記複数のグレースケール基準電圧を順次受信し、受信したグレースケール基準電圧と自己が生成したグレースケール基準電圧を比較し、前記比較結果に基づいて、それぞれが生成するグレースケール基準電圧の差の絶対値を小さくするための較正値を算出し、前記他の表示ドライバに対して送出し、
前記他の表示ドライバは、受信した前記較正値に基づいて、自己が生成した前記複数のグレースケール基準電圧を較正可能に構成され、
前記スレーブモードにおいて、
前記表示ドライバは、マスターモードで動作する前記他の表示ドライバに対して、自己の生成した前記複数のグレースケール基準電圧を順次送出し、
前記他の表示ドライバは、前記伝送されたグレースケール基準電圧と、自己が生成したグレースケール基準電圧とを比較することにより、前記差の絶対値を小さくするための較正値を算出し、前記較正値を前記表示ドライバに伝送可能に構成され、
前記表示ドライバは、伝送された前記較正値に基づいて、自己が生成した前記複数のグレースケール基準電圧を較正する、
表示ドライバ。
【請求項２０】
表示データに基づいて、表示パネルの複数のソース線に階調信号を出力可能な表示ドライバであって、
前記表示パネルの他の複数のソース線に階調信号を出力可能な他の表示ドライバとともに表示装置に搭載されることが可能であり、
前記表示ドライバと前記他の表示ドライバのそれぞれは、前記表示データに対応する階調信号を生成するための複数のグレースケール基準電圧を生成可能に構成され、
前記表示ドライバは、マスターモードとスレーブモードの動作モードを有し、
前記マスターモードにおいて、
前記表示ドライバは、スレーブモードで動作する前記他の表示ドライバに対して、自己の生成した前記複数のグレースケール基準電圧を順次伝送し、
前記他の表示ドライバは、前記伝送されたグレースケール基準電圧と、自己が生成したグレースケール基準電圧とを比較することにより、前記差の絶対値を小さくするために、自己が生成した前記複数のグレースケール基準電圧を較正し、
前記スレーブモードにおいて、
前記表示ドライバは、マスターモードで動作する前記他の表示ドライバから、生成した前記複数のグレースケール基準電圧を順次受信可能に構成され、
前記表示ドライバは、受信したグレースケール基準電圧と自己が生成したグレースケール基準電圧を比較し、前記比較結果に基づいて、それぞれが生成するグレースケール基準電圧の差の絶対値を小さくするために、自己が生成した前記複数のグレースケール基準電圧を較正する、
表示ドライバ。
【請求項２１】
請求項１７から請求項２０のうちのいずれか１項において、前記表示ドライバは、アナログ／ディジタル変換器と、記憶回路と、演算回路とを備え、
前記アナログ／ディジタル変換器は、自己が生成したグレースケール基準電圧と前記順次伝送されたグレースケール基準電圧とをそれぞれ随時ディジタル値に変換可能であり、
前記記憶回路は、前記ディジタル値を記憶可能であり、
前記演算回路は、前記記憶回路に記憶されたディジタル値を読み出して比較及び／または除算を実行することにより、前記較正を実行可能に構成される、
表示ドライバ。
【請求項２２】
請求項１７から請求項２０のうちのいずれか１項において、前記表示ドライバは、アナログ比較器と、記憶回路と、演算回路とを備え、
前記アナログ比較器は、前記表示ドライバが生成したグレースケール基準電圧と前記伝送されたグレースケール基準電圧とをそれぞれ随比較可能であり、
前記記憶回路は、前記比較結果を記憶可能であり、
前記演算回路は、前記記憶回路に記憶された比較結果を読み出して演算を実行することにより、前記較正を実行可能に構成される、
表示ドライバ。
【請求項２３】
請求項２２において、前記表示ドライバは、前記アナログ比較器の入力を相互に入れ替えることができるスイッチをさらに備え、
前記アナログ比較器の一方の入力端子に前記表示ドライバが生成したグレースケール基準電圧が入力され、前記アナログ比較器の他方の入力端子に前記伝送されたグレースケール基準電圧が入力された場合の、第１比較結果が前記記憶回路に格納され、
前記スイッチを切り替えることにより、前記アナログ比較器の前記一方の入力端子に前記伝送されたグレースケール基準電圧が入力され、前記アナログ比較器の前記他方の入力端子に前記第２表示ドライバが生成したグレースケール基準電圧が入力された場合の、第２比較結果が前記記憶回路に格納され、
前記演算回路は、前記第１比較結果と前記第２比較結果に基づいて、前記較正を実行可能に構成される、
表示ドライバ。
【請求項２４】
請求項１３から請求項２３のうちのいずれか１項において、前記較正の結果を保持可能な不揮発性メモリを備える、
表示ドライバ。
【請求項２５】
表示データに基づいて、表示パネルの複数のソース線に階調信号を出力可能な表示ドライバであって、
前記表示パネルの他の複数のソース線に階調信号を出力可能な他の表示ドライバとともに表示装置に搭載されることが可能であり、
前記表示ドライバと前記他の表示ドライバのそれぞれは、前記表示データに対応する階調信号を生成するための複数のグレースケール基準電圧を生成可能に構成され、
前記表示ドライバは、前記他の表示ドライバから、生成した前記複数のグレースケール基準電圧を順次受信可能に構成され、
前記表示ドライバは、前記複数のグレースケール基準電圧に対応する複数のサンプル・ホールド回路を備え、前記伝送されたグレースケール基準電圧を、対応するサンプル・ホールド回路に取り込んで保持可能に構成され、保持されたグレースケール基準電圧に基づいて、自己の複数のグレースケール基準電圧を生成可能に構成される、
表示ドライバ。
【請求項２６】
請求項１３から請求項２５のうちのいずれか１項において、単一半導体基板上に形成された、
表示ドライバ。
【発明の詳細な説明】
【技術分野】
【０００１】
本発明は、表示装置およびそれに搭載される表示ドライバに関し、特に複数の表示ドライバＩＣ（Integrated Circuit）を用いて高画質の表示を実現する表示装置に好適に利用できるものである。
【背景技術】
【０００２】
近年、ディスプレイの高解像度化、大型化が進んでいる。高解像度化、大型化が進むと１チップの表示ドライバで駆動することが困難となり、多チップ（マルチチップ）化が進む。このとき、複数の表示ドライバの間に出力電圧にばらつきがあると表示パネルの輝度差となるため、画質を劣化させるという、問題がある。
【０００３】
特許文献１には、複数の駆動回路部品を連携させて１つの表示領域を駆動する液晶表示装置の表示品質の低下を防ぐ技術が開示されている。１つの駆動回路部品で生成した階調基準電圧に基づいて、他の駆動回路部品の階調基準電圧を生成する。ここで、階調基準電圧とは、駆動回路部品から表示パネルに出力される出力電圧を生成するための、複数の階調電圧を生成するときに基準となる電圧である。出力電圧は同じ階調基準電圧から生成されるので、ばらつきを抑えることができるとされる。
【０００４】
特許文献２には、マスターモードの表示ドライバとスレーブモードの表示ドライバとを備える表示装置において、各表示ドライバ間の電源電圧の降下を抑制して、表示品質の低下を防止する技術が開示されている。マスターモードの表示ドライバから、スレーブモードの表示ドライバに対して、複数の階調電圧を供給する。送出側と受信側それぞれにボルテージフォロワ回路を設けることにより、出力インピーダンスを下げ入力インピーダンスを上げることができるので、階調電圧は伝送経路での電圧降下をほとんど生じさせない。これにより、表示装置の画面におけるバイアスずれやブロックむらを防止して表示品質の低下を防止することができるとされる（同文献第１４頁）。
【先行技術文献】
【特許文献】
【０００５】
【特許文献１】特開２０１０−２６１３８号公報
【特許文献２】国際公開第ＷＯ０１／０５７８３９号
【発明の概要】
【発明が解決しようとする課題】
【０００６】
特許文献１及び２について本発明者が検討した結果、以下のような新たな課題があることがわかった。
【０００７】
特許文献１に開示される表示装置においては、複数の駆動回路部品（表示ドライバ）の間で、階調基準電圧のみを受け渡して、複数の駆動回路部品の間での出力電圧のばらつきを抑えようとしている。階調基準電圧は、複数の階調電圧を生成するときに基準となる電圧であるが、１本のアナログ信号、即ち、１点の基準電位が複数の駆動回路部品の間で共有されるに留まる。複数の階調電圧は、共有された階調基準電圧に基づいて、それぞれの駆動回路部品で生成される。同文献の図９と第０１４３段落〜第０１５５段落に記載されるように、それぞれの駆動回路部品では、傾き調整と振幅調整を行うことにより所定のガンマ特性を持たせる補正を行う。階調基準電圧のみを共通化しても、仮にこのガンマ補正回路にばらつきがあれば、複数の駆動回路部品の間での出力電圧のばらつきを生じる恐れがある。
【０００８】
これに対して特許文献２に開示される表示装置においては、複数の階調電圧をマスター表示ドライバからスレーブ表示ドライバに供給することにより、当該複数の階調電圧の全てを等しい電圧に揃えることができる。
【０００９】
しかしながら、この場合は、複数の階調電圧を伝送する必要があるため、以下の問題が発生する。
【００１０】
第１の課題は、表示パネルの基板上の配線が増えることである。階調電圧の本数は、表示データの階調数に依存するので、数１０本から１００本以上となる場合もあり、配線の占める面積の増加は小型化を妨げ、コスト上昇を招く恐れがある。
【００１１】
第２の課題は、表示ドライバをＩＣで実現した場合に、チップ面積が増大し、コスト上昇を招くことである。上述のように階調電圧の本数は多数に上るので、これを出力するためのマスター側のパッド数とこれを受信するためのスレーブ側のパッド数を増加させる。パッド数の増加はチップ面積を増大させ、コスト上昇を招く恐れがある。また、階調電圧の配線長が長い場合には、これを駆動するために十分な駆動能力を備える出力回路を多数備える必要がある。これも同様にチップ面積を増大させ、コスト上昇を招く恐れがある。
【００１２】
第３の課題は、マスターからスレーブの表示ドライバに供給される階調電圧にノイズが混入すると、その影響がスレーブ側に及ぶので、階調電圧を共有した効果を減殺させ、表示品質の低下を招く恐れがあることである。この点は、特許文献１に記載される技術にも共通する課題である。
【００１３】
本発明の目的は、表示ドライバのチップ面積の増大や、表示パネルの配線面積の増加を最小限に抑え、且つノイズ耐性を高く保ちながら、複数の表示ドライバ間での出力電圧のばらつきを抑えることである。
【００１４】
このような課題を解決するための手段を以下に説明するが、その他の課題と新規な特徴は、本明細書の記述及び添付図面から明らかになるであろう。
【課題を解決するための手段】
【００１５】
一実施の形態によれば、下記の通りである。
【００１６】
すなわち、表示データに基づいて、表示パネルの複数の領域の複数のソース線に階調信号を出力する、第１と第２の表示ドライバを含む複数の表示ドライバを備える表示装置であって、以下のように構成される。複数の表示ドライバのそれぞれは、表示データに対応する階調信号を生成するための複数のグレースケール基準電圧を生成可能であり、第１表示ドライバは、第２表示ドライバに対して、自己の生成した複数のグレースケール基準電圧を順次伝送可能に構成される。第２表示ドライバは、伝送されたグレースケール基準電圧に基づいて、第１表示ドライバと第２表示ドライバでそれぞれ生成されるグレースケール基準電圧の差の絶対値を小さくする較正を、第１表示ドライバに実行させ、または自身で実行する。ここで、複数のグレースケール基準電圧は、上述の複数の階調電圧そのものであっても良いし、複数の階調電圧に所望のガンマ特性を持たせるために供給される、複数の特徴点の基準電圧であってもよい。
【発明の効果】
【００１７】
前記一実施の形態によって得られる効果を簡単に説明すれば下記のとおりである。
【００１８】
すなわち、表示ドライバのチップ面積の増大や、表示パネルの配線面積の増加を最小限に抑え、且つノイズ耐性を高く保ちながら、複数の表示ドライバ間での出力電圧のばらつきを抑えることができる。
【図面の簡単な説明】
【００１９】
【図１】図１は、本発明に係る表示装置の構成例を表すブロック図である。
【図２】図２は、表示装置の第１の構成例を表す概略ブロック図である。
【図３】図３は、表示装置の第２の構成例を表す概略ブロック図である。
【図４】図４は、表示装置の第３の構成例を表す概略ブロック図である。
【図５】図５は、表示装置の第４の構成例を表す概略ブロック図である。
【図６】図６は、本発明の実施形態２に係る表示ドライバの構成例を表すブロック図である。
【図７】図７は、本発明の実施形態２に係る表示ドライバの動作例を表すフローチャートである。
【図８】図８は、本発明の実施形態２に係る表示ドライバの別の動作例を表すフローチャートである。
【図９】図９は、本発明の実施形態３に係る表示ドライバの構成例を表すブロック図である。
【図１０】図１０は、本発明の実施形態４に係る表示ドライバの構成例を表すブロック図である。
【図１１】図１１は、クロスバースイッチ付きコンパレータの動作を説明するための回路図である。
【図１２】図１２は、本発明の実施形態４に係る表示ドライバの動作例を表すフローチャートである。
【図１３】図１３は、本発明の実施形態５に係る表示ドライバの構成例を表すブロック図である。
【図１４】図１４は、本発明の実施形態６に係る表示ドライバの構成例を表すブロック図である。
【図１５】図１５は、本発明の実施形態６に係る表示ドライバの動作例を表すフローチャートである。
【発明を実施するための形態】
【００２０】
１．実施の形態の概要
先ず、本願において開示される代表的な実施の形態について概要を説明する。代表的な実施の形態についての概要説明で括弧を付して参照する図面中の参照符号はそれが付された構成要素の概念に含まれるものを例示するに過ぎない。
【００２１】
〔１〕＜複数の表示ドライバ間でグレースケール基準電圧を順次伝送する表示装置＞
本発明の代表的な実施の形態に係る表示装置（１００）は、表示データに基づいて、表示パネル（９０）の複数のソース線（９１＿１）に階調信号を出力可能な第１表示ドライバ（１）と、前記表示パネルの他の複数のソース線（９１＿２）に階調信号を出力可能な第２表示ドライバ（２）とを備え、以下のように構成される。
【００２２】
前記第１表示ドライバと前記第２表示ドライバのそれぞれは、前記表示データに対応する階調信号を生成するための複数のグレースケール基準電圧を生成可能に構成される（７、８）。
【００２３】
前記第１表示ドライバは、前記第２表示ドライバに対して、自己の生成した前記複数のグレースケール基準電圧を順次伝送可能に構成される（１０、８３）。
【００２４】
前記第２表示ドライバは、前記順次伝送されたグレースケール基準電圧に基づいて、前記第１表示ドライバで生成されるグレースケール基準電圧と前記第２表示ドライバで生成されるグレースケール基準電圧との差の絶対値を小さくする較正を実行可能に構成される。
【００２５】
これにより、表示ドライバのチップ面積の増大や、表示パネルの配線面積の増加を最小限に抑え、且つノイズ耐性を高く保ちながら、複数の表示ドライバ間での出力電圧のばらつきを抑えることを可能とした、表示装置を提供することができる。
【００２６】
〔２〕＜第２表示ドライバ（マスター）で算出した較正値を第１表示ドライバ（スレーブ）に返送（図２）＞
項１において、前記第２表示ドライバは、前記順次伝送されたグレースケール基準電圧と自己の生成した前記複数のグレースケール基準電圧のうちの対応するグレースケール基準電圧とを比較し、前記比較の結果に基づいて較正値を算出し（２９）、前記較正値を前記第１表示ドライバに対して伝送可能に構成される（８５、８６）。
【００２７】
前記第１表示ドライバは伝送された前記較正値に基づいて、自己の生成するグレースケール基準電圧を変更可能に構成される（３０）。
【００２８】
これにより、マスター（第２）表示ドライバが較正値を算出し、スレーブ（第１）表示ドライバが自己の発生するグレースケール基準電圧をマスター側に一致させる方向に較正する、表示装置を提供することができる。スレーブ（第１）表示ドライバから順次伝送されたグレースケール基準電圧を、マスター（第２）表示ドライバが、自己が生成したグレースケール基準電圧と比較することによって算出した較正値を、スレーブ（第１）表示ドライバに返送することによって、スレーブ（第１）表示ドライバが自己の発生するグレースケール基準電圧をマスター側に一致させる方向に較正する。
【００２９】
〔３〕＜複数のスレーブ（第３）表示ドライバ（図３）＞
項２において、前記表示装置は、前記第１表示ドライバ（１＿１）と前記第２表示ドライバ（２）が階調電圧を出力する複数のソース線（９１＿１、９１＿２）とは異なる、前記表示パネルの複数のソース線（９１＿３）に階調信号を出力可能な第３表示ドライバ（１＿３）をさらに備える。
【００３０】
前記第３表示ドライバは、前記表示データに対応する階調信号を生成するための複数のグレースケール基準電圧を生成可能に構成される（２１＿３）。
【００３１】
前記第３表示ドライバは、前記第２表示ドライバに対して、自己の生成した前記複数のグレースケール基準電圧を順次伝送可能に構成される（２２＿３、８３＿３、８４）。
【００３２】
前記第２表示ドライバは、前記順次伝送されたグレースケール基準電圧と自己の生成した前記複数のグレースケール基準電圧のうちの対応するグレースケール基準電圧とを比較し、前記比較の結果に基づいて較正値を算出し（２９）、前記較正値を前記第３表示ドライバに対して伝送可能に構成される（８５、８６＿３）。
【００３３】
前記第３表示ドライバは伝送された前記較正値に基づいて、自己の生成するグレースケール基準電圧を変更可能に構成される（３０＿３）。
【００３４】
これにより、１個のマスター（第２）表示ドライバと複数個のスレーブ（第１、第３等）表示ドライバを備える表示装置において、表示ドライバのチップ面積の増大や、表示パネルの配線面積の増加を最小限に抑え、且つノイズ耐性を高く保ちながら、複数の表示ドライバ間での出力電圧のばらつきを抑えることができる。複数個のスレーブ（第１、第３等）表示ドライバは、マスター（第２）表示ドライバに対して、それぞれ順次自己が発生したグレースケール基準電圧をマスター側に送出し、マスターは順次較正値を算出してスレーブ側に返送する。返送されたスレーブ側は、返送された較正値に基づいて、自己が発生するグレースケール基準電圧を変更する。
【００３５】
〔４〕＜第１表示ドライバ（マスター）から伝送されるグレースケール基準電圧を基準に、第２表示ドライバ（スレーブ）が自己較正（図４）＞
項１において、前記第２表示ドライバは、前記順次伝送されたグレースケール基準電圧と自己の生成した前記複数のグレースケール基準電圧のうちの対応するグレースケール基準電圧とを比較し（２９）、前記比較の結果に基づいて、自己の生成するグレースケール基準電圧を変更可能に構成される（３０）。
【００３６】
これにより、マスター（第１）表示ドライバから伝送されるグレースケール基準電圧を基準に、スレーブ（第２）表示ドライバが、自己の発生するグレースケール基準電圧をマスター側に一致させる方向に自律的に較正する、表示装置を提供することができる。スレーブ（第２）表示ドライバは、マスター（第１）表示ドライバから順次伝送されたグレースケール基準電圧を、自己が生成したグレースケール基準電圧と比較することによって、スレーブ（第２）表示ドライバが自己の発生するグレースケール基準電圧をマスター側に一致させる方向に較正する。
【００３７】
〔５〕＜複数のスレーブ（第２、第４等）表示ドライバが並列に自己較正（図５）＞
項４において、前記表示装置は、前記第１表示ドライバ（１）と前記第２表示ドライバ（２＿２）が階調電圧を出力する複数のソース線（９１＿１、９１＿２）とは異なる、前記表示パネルの複数のソース線（９１＿３）に階調信号を出力可能な第４表示ドライバ（２＿３）をさらに備える。
【００３８】
前記第４表示ドライバは、前記表示データに対応する階調信号を生成するための複数のグレースケール基準電圧を生成可能に構成される（２１＿３）。
【００３９】
前記第１表示ドライバは、前記第２表示ドライバと前記第４表示ドライバに対して並行して、自己の生成した前記複数のグレースケール基準電圧を順次伝送可能に構成される（８３、８４＿２、８４＿３）。
【００４０】
前記第２表示ドライバは、前記順次伝送されたグレースケール基準電圧と自己の生成した前記複数のグレースケール基準電圧のうちの対応するグレースケール基準電圧とを比較し（１８＿２）、前記比較の結果に基づいて、自己の生成するグレースケール基準電圧を変更可能に構成される（３０＿２）。
【００４１】
前記第４表示ドライバも、同様に、前記順次伝送されたグレースケール基準電圧と自己の生成した前記複数のグレースケール基準電圧のうちの対応するグレースケール基準電圧とを比較し（１８＿３）、前記比較の結果に基づいて、自己の生成するグレースケール基準電圧を変更可能に構成される（３０＿３）。
【００４２】
これにより、１個のマスター（第１）表示ドライバと複数個のスレーブ（第２、第４等）表示ドライバを備える表示装置において、表示ドライバのチップ面積の増大や、表示パネルの配線面積の増加を最小限に抑え、且つノイズ耐性を高く保ちながら、複数の表示ドライバ間での出力電圧のばらつきを抑えることができる。マスター（第１）表示ドライバは、複数個のスレーブ（第２、第４等）表示ドライバに対して並行に、自己が発生した複数のグレースケール基準電圧を順次送出し、複数個のスレーブ（第２、第４等）表示ドライバは、それぞれ、自己が発生するグレースケール基準電圧を受信したグレースケール基準電圧に近づける制御を行う。
【００４３】
〔６〕＜ディジタル較正（図６〜９）＞
項１から項５のうちのいずれか１項において、前記第２表示ドライバは、アナログ／ディジタル変換器（１３）と、記憶回路（１７）と、演算回路（１８）とを備え、以下のように構成される。
【００４４】
前記アナログ／ディジタル変換器は、前記第２表示ドライバが生成したグレースケール基準電圧と前記順次伝送されたグレースケール基準電圧とをそれぞれ随時ディジタル値に変換可能であり、前記記憶回路は、前記ディジタル値を記憶可能であり、前記演算回路は、前記記憶回路に記憶されたディジタル値を読み出して比較及び／または除算を実行することにより、前記較正を実行可能に構成される。
【００４５】
これにより、グレースケール基準電圧を受信した側である、第２表示ドライバにおいて、ディジタル処理によって、項２と項３の場合には較正値を算出し、または、項４と項５の場合には自己のグレースケール電圧を較正することができる。
【００４６】
〔７〕＜アナログ較正（図１０〜１３）＞
項１から項５のうちのいずれか１項において、前記第２表示ドライバは、アナログ比較器（１４）と、記憶回路（１７）と、演算回路（１９）とを備え、以下のように構成される。
【００４７】
前記アナログ比較器は、前記第２表示ドライバが生成したグレースケール基準電圧と前記伝送されたグレースケール基準電圧とをそれぞれ随比較可能であり、前記記憶回路は、前記比較結果を記憶可能であり、前記演算回路は、前記記憶回路に記憶された比較結果を読み出して演算を実行することにより、前記較正を実行可能に構成される。
【００４８】
これにより、グレースケール基準電圧を受信した側である、第２表示ドライバにおいて、ディジタル処理によって、項２と項３の場合には較正値を算出し、または、項４と項５の場合には自己のグレースケール電圧を較正することができる。
【００４９】
〔８〕＜アナログ比較器のオフセットキャンセル（図１１）＞
項７において、前記第２表示ドライバは、前記アナログ比較器の入力を相互に入れ替えることができるスイッチ（１５）をさらに備える。
【００５０】
前記アナログ比較器の一方の入力端子に前記第２表示ドライバが生成したグレースケール基準電圧が入力され、前記アナログ比較器の他方の入力端子に前記伝送されたグレースケール基準電圧が入力された場合の、第１比較結果が前記記憶回路に格納される。
【００５１】
前記スイッチを切り替えることにより、前記アナログ比較器の前記一方の入力端子に前記伝送されたグレースケール基準電圧が入力され、前記アナログ比較器の前記他方の入力端子に前記第２表示ドライバが生成したグレースケール基準電圧が入力され、そのときの、第２比較結果が前記記憶回路に格納される。
【００５２】
前記演算回路は、前記第１比較結果と前記第２比較結果に基づいて、前記較正を実行可能に構成される。
【００５３】
これにより、アナログ比較器の入力オフセットを相殺する演算を、前記演算回路に実行させ、前記較正をより正確に実行することができる。
【００５４】
〔９〕＜電源投入時に較正＞
項１から項８のうちのいずれか１項において、前記較正は、電源投入時に実行可能に構成される。
【００５５】
これにより、経年変化に対応した較正を実行することができる。
【００５６】
〔１０〕＜表示の帰線期間に較正＞
項９項において、前記較正は、さらに表示の帰線期間に実行可能に構成される。
【００５７】
これにより、表示中に逐次、較正を実行することができる。
【００５８】
〔１１〕＜較正結果を保持する不揮発性メモリ＞
項１から項８のうちのいずれか１項において、前記較正の結果を保持可能な不揮発性メモリを備える。
【００５９】
これにより、表示装置の出荷試験において較正を実行、その結果を保持し、出荷時に較正されたグレースケール基準電圧を、出荷後に再現させることができる。
【００６０】
〔１２〕＜第１表示ドライバ（マスター）から伝送されたグレースケール基準電圧を第２表示ドライバ（スレーブ）でサンプル＆ホールド（図１４、１５）＞
項１において、前記第２表示ドライバは、前記複数のグレースケール基準電圧に対応する複数のサンプル・ホールド回路（２３）を備え、前記伝送されたグレースケール基準電圧を、対応するサンプル・ホールド回路に取り込んで保持可能に構成される。前記第２表示ドライバは、保持されたグレースケール基準電圧に基づいて、自己の複数のグレースケール基準電圧を生成可能に構成される。
【００６１】
これにより、簡単な回路を追加するだけで、マスター（第１）表示ドライバで生成されたグレースケール基準電圧を、スレーブ（第２）表示ドライバに複写して、マスター側と等しいグレースケール基準電圧を発生させるように制御することができる。
【００６２】
〔１３〕＜グレースケール基準電圧を順次出力可能な表示ドライバ＞
表示データに基づいて、表示パネル（９０）の複数のソース線（９１＿１）に階調信号を出力可能な表示ドライバ（１、１＿１、１＿３）であって、以下のように構成される。
【００６３】
前記表示パネルの他の複数のソース線（９１＿２）に階調信号を出力可能な他の表示ドライバ（２）とともに表示装置（１００）に搭載されることが可能である。
【００６４】
前記表示ドライバと前記他の表示ドライバのそれぞれは、前記表示データに対応する階調信号を生成するための複数のグレースケール基準電圧を生成可能に構成される（２１＿１、２１＿２）。
【００６５】
前記表示ドライバは、前記他の表示ドライバに対して、自己の生成した前記複数のグレースケール基準電圧を順次伝送可能に構成される（８３、８４）。
【００６６】
前記表示ドライバまたは前記他の表示ドライバの少なくとも一方は、前記伝送されたグレースケール基準電圧に基づいて、それぞれが生成するグレースケール基準電圧の差の絶対値を小さくする較正を実行可能に構成される（３０）。
【００６７】
これにより、表示ドライバのチップ面積の増大や、表示パネルの配線面積の増加を最小限に抑え、且つノイズ耐性を高く保ちながら、複数の表示ドライバ間での出力電圧のばらつきを抑えることを可能とした、表示装置に搭載される表示ドライバを提供することができる。
【００６８】
〔１４〕＜マスターから較正値を受信するスレーブ表示ドライバ（図２、３）＞
項１３項において、前記他の表示ドライバ（２）は、前記伝送されたグレースケール基準電圧と、自己が生成したグレースケール基準電圧とを比較することにより、前記差の絶対値を小さくするための較正値を算出し（２９）、前記較正値を前記表示ドライバに伝送可能に構成される（８５、８６）。
【００６９】
前記表示ドライバは、伝送された前記較正値に基づいて、自己が生成した前記複数のグレースケール基準電圧を較正可能に構成される（３０）。
【００７０】
これにより、マスターから較正値を受信して、自己が生成した前記複数のグレースケール基準電圧の較正を行う、スレーブ表示ドライバを提供することができる。
【００７１】
〔１５〕＜スレーブに較正を実行させるマスター表示ドライバ（図４、５）＞
項１３項において、前記他の表示ドライバ（２、２＿２、２＿３）は、前記伝送されたグレースケール基準電圧と、自己が生成したグレースケール基準電圧とを比較することにより（１８）、前記差の絶対値を小さくするために、自己が生成した前記複数のグレースケール基準電圧を較正可能に構成される（３０）。
【００７２】
これにより、マスターから較正値を受信して、自己が生成した前記複数のグレースケール基準電圧の較正を行う、スレーブ表示ドライバを提供することができる。
【００７３】
〔１６〕＜グレースケール基準電圧を順次受信可能な表示ドライバ＞
表示データに基づいて、表示パネル（９０）の複数のソース線（９１＿２）に階調信号を出力可能な表示ドライバ（２）であって、以下のように構成される。
【００７４】
前記表示パネルの他の複数のソース線（９１＿１）に階調信号を出力可能な他の表示ドライバ（１）とともに表示装置（１００）に搭載されることが可能である。
【００７５】
前記表示ドライバと前記他の表示ドライバのそれぞれは、前記表示データに対応する階調信号を生成するための複数のグレースケール基準電圧を生成可能に構成される（２１＿１、２１＿２）。
【００７６】
前記表示ドライバは、前記他の表示ドライバから、生成した前記複数のグレースケール基準電圧を順次受信可能に構成され（８４）、受信したグレースケール基準電圧と自己が生成したグレースケール基準電圧を比較可能に構成される（１８）。
【００７７】
前記表示ドライバまたは前記他の表示ドライバの少なくとも一方は、前記比較結果に基づいて、それぞれが生成するグレースケール基準電圧の差の絶対値を小さくする較正（３０）を実行可能に構成される。
【００７８】
これにより、表示ドライバのチップ面積の増大や、表示パネルの配線面積の増加を最小限に抑え、且つノイズ耐性を高く保ちながら、複数の表示ドライバ間での出力電圧のばらつきを抑えることを可能とした、表示装置に搭載される表示ドライバを提供することができる。
【００７９】
〔１７〕＜受信したグレースケール基準電圧に基づいて較正値を算出・返送する、マスター表示ドライバ（図２、３）＞
項１６項において、前記表示ドライバ（２）は、前記比較結果に基づいて、それぞれが生成するグレースケール基準電圧の差の絶対値を小さくするための較正値を算出し（２９）、前記他の表示ドライバに対して送出可能に構成される（８５）。
【００８０】
前記他の表示ドライバ（１、１＿１、１＿３）は、受信した前記較正値に基づいて、自己が生成した前記複数のグレースケール基準電圧を較正可能に構成される（３０、３０＿１、３０＿３）。
【００８１】
これにより、受信したグレースケール基準電圧に基づいて較正値を算出・返送する、マスター表示ドライバを提供することができる。
【００８２】
〔１８〕＜受信したグレースケール基準電圧に基づいて較正を実行する、スレーブ表示ドライバ（図４、５）＞
項１６項において、前記表示ドライバ（２、２＿２、２＿３）は、前記比較結果に基づいて、それぞれが生成するグレースケール基準電圧の差の絶対値を小さくするために、自己が生成した前記複数のグレースケール基準電圧を較正可能に構成される（３０、３０＿２、３０＿３）。
【００８３】
これにより、受信したグレースケール基準電圧に基づいて較正を実行可能な、スレーブ表示ドライバを提供することができる。
【００８４】
〔１９〕＜マスター／スレーブの動作モード切替を有する表示ドライバ（図２、３）＞
表示データに基づいて、表示パネル（９０）の複数のソース線に階調信号を出力可能な表示ドライバ（１、２）であって、以下のように構成される。
【００８５】
前記表示パネルの他の複数のソース線に階調信号を出力可能な他の表示ドライバとともに表示装置に搭載されることが可能である。
【００８６】
前記表示ドライバと前記他の表示ドライバのそれぞれは、前記表示データに対応する階調信号を生成するための複数のグレースケール基準電圧を生成可能に構成される（２１＿１、２１＿２）。
【００８７】
前記表示ドライバは、マスターモードとスレーブモードの動作モードを有する。
【００８８】
前記表示ドライバは、前記マスターモードにおいて、以下の動作を可能に構成される。
【００８９】
スレーブモードで動作する前記他の表示ドライバから、生成した前記複数のグレースケール基準電圧を順次受信し（８４）、受信したグレースケール基準電圧と自己が生成したグレースケール基準電圧を比較し、前記比較結果に基づいて、それぞれが生成するグレースケール基準電圧の差の絶対値を小さくするための較正値を算出し（２９）、前記他の表示ドライバに対して送出する（８５）。
【００９０】
前記他の表示ドライバは、前記マスターモードにおいて、受信した前記較正値に基づいて、自己が生成した前記複数のグレースケール基準電圧を較正可能に構成される（３０）。
【００９１】
前記表示ドライバは、前記スレーブモードにおいて、以下の動作を可能に構成される。
【００９２】
前記表示ドライバは、マスターモードで動作する前記他の表示ドライバに対して、自己の生成した前記複数のグレースケール基準電圧を順次送出する（８３）。前記他の表示ドライバは、前記伝送されたグレースケール基準電圧と、自己が生成したグレースケール基準電圧とを比較することにより、前記差の絶対値を小さくするための較正値を算出し（１８）、前記較正値を前記表示ドライバに伝送可能に構成される（８５）。前記表示ドライバは、伝送された前記較正値に基づいて、自己が生成した前記複数のグレースケール基準電圧を較正する（３０）。
【００９３】
これにより、項１４（スレーブモード）と項１７（マスターモード）の機能を切換え可能に有する、表示ドライバを提供することができる。
【００９４】
〔２０〕＜マスター／スレーブの動作モード切替を有する表示ドライバ（図４、５）＞
表示データに基づいて、表示パネル（９０）の複数のソース線に階調信号を出力可能な表示ドライバ（１、２）であって、以下のように構成される。
【００９５】
前記表示パネルの他の複数のソース線に階調信号を出力可能な他の表示ドライバとともに表示装置に搭載されることが可能である。
【００９６】
前記表示ドライバと前記他の表示ドライバのそれぞれは、前記表示データに対応する階調信号を生成するための複数のグレースケール基準電圧を生成可能に構成される（２１＿１、２１＿２）。
【００９７】
前記表示ドライバは、マスターモードとスレーブモードの動作モードを有する。
【００９８】
前記表示ドライバは、前記マスターモードにおいて、以下の動作を可能に構成される。
【００９９】
前記表示ドライバは、スレーブモードで動作する前記他の表示ドライバに対して、自己の生成した前記複数のグレースケール基準電圧を順次伝送する（８３）。
【０１００】
前記他の表示ドライバは、前記伝送されたグレースケール基準電圧と、自己が生成したグレースケール基準電圧とを比較することにより（２９）、前記差の絶対値を小さくするために、自己が生成した前記複数のグレースケール基準電圧を較正する（３０）。
【０１０１】
前記表示ドライバは、前記スレーブモードにおいて、以下の動作を可能に構成される。
【０１０２】
前記表示ドライバは、マスターモードで動作する前記他の表示ドライバから、生成した前記複数のグレースケール基準電圧を順次受信可能に構成される（８４）。
【０１０３】
前記表示ドライバは、受信したグレースケール基準電圧と自己が生成したグレースケール基準電圧を比較し（１８）、前記比較結果に基づいて、それぞれが生成するグレースケール基準電圧の差の絶対値を小さくするために、自己が生成した前記複数のグレースケール基準電圧を較正する（３０）。
【０１０４】
これにより、項１５（マスターモード）と項１８（スレーブモード）の機能を切換え可能に有する、表示ドライバを提供することができる。
【０１０５】
〔２１〕＜ディジタル較正（図６〜９）＞
項１７から項２０のうちのいずれか１項において、前記表示ドライバ（２）は、アナログ／ディジタル変換器（１３）と、記憶回路（１７）と、演算回路（１８）とを備え、以下のように構成される。
【０１０６】
前記アナログ／ディジタル変換器は、自己が生成したグレースケール基準電圧と前記順次伝送されたグレースケール基準電圧とをそれぞれ随時ディジタル値に変換可能であり、前記記憶回路は、前記ディジタル値を記憶可能であり、前記演算回路は、前記記憶回路に記憶されたディジタル値を読み出して比較及び／または除算を実行することにより、前記較正を実行可能に構成される。
【０１０７】
これにより、グレースケール基準電圧を受信した表示ドライバにおいて、ディジタル処理によって、項１７の場合には較正値を算出し、また、項１８の場合には自己のグレースケール電圧を較正することができる。また、項１９ではマスターモードにおいて、項２０ではスレーブモードにおいて、それぞれ、ディジタル処理によって、較正のための比較を行うことができる。
【０１０８】
〔２２〕＜アナログ較正（図１０〜１３）＞
項１７から項２０のうちのいずれか１項において、前記表示ドライバ（２）は、アナログ比較器（１４）と、記憶回路（１７）と、演算回路（１９）とを備え、以下のように構成される。
【０１０９】
前記アナログ比較器は、前記表示ドライバが生成したグレースケール基準電圧と前記伝送されたグレースケール基準電圧とをそれぞれ随比較可能であり、前記記憶回路は、前記比較結果を記憶可能であり、前記演算回路は、前記記憶回路に記憶された比較結果を読み出して演算を実行することにより、前記較正を実行可能に構成される。
【０１１０】
これにより、グレースケール基準電圧を受信した表示ドライバにおいて、アナログ処理によって、項１７の場合には較正値を算出し、また、項１８の場合には自己のグレースケール電圧を較正することができる。また、項１９ではマスターモードにおいて、項２０ではスレーブモードにおいて、それぞれ、アナログ処理によって、較正のための比較を行うことができる。
【０１１１】
〔２３〕＜アナログ比較器のオフセットキャンセル（図１１）＞
項２２において、前記表示ドライバは、前記アナログ比較器の入力を相互に入れ替えることができるスイッチ（１５）をさらに備える。
【０１１２】
前記アナログ比較器の一方の入力端子に前記表示ドライバが生成したグレースケール基準電圧が入力され、前記アナログ比較器の他方の入力端子に前記伝送されたグレースケール基準電圧が入力された場合の、第１比較結果が前記記憶回路に格納される。
【０１１３】
前記スイッチを切り替えることにより、前記アナログ比較器の前記一方の入力端子に前記伝送されたグレースケール基準電圧が入力され、前記アナログ比較器の前記他方の入力端子に前記第２表示ドライバが生成したグレースケール基準電圧が入力された場合の、第２比較結果が前記記憶回路に格納される。
【０１１４】
前記演算回路は、前記第１比較結果と前記第２比較結果に基づいて、前記較正を実行可能に構成される。
【０１１５】
これにより、アナログ比較器の入力オフセットを相殺する演算を、前記演算回路に実行させ、前記較正をより正確に実行することができる。
【０１１６】
〔２４〕＜較正結果を保持する不揮発性メモリ＞
項１３から項２３のうちのいずれか１項において、前記較正の結果を保持可能な不揮発性メモリを備える。
【０１１７】
これにより、表示装置の出荷試験において較正を実行、その結果を保持し、出荷後に、出荷時に較正されたグレースケール基準電圧を再現させることができる、表示ドライバＩＣを提供することができる。
【０１１８】
〔２５〕＜伝送されたグレースケール基準電圧をサンプル＆ホールドする表示ドライバ（図１４、１５）＞
表示データに基づいて、表示パネル（９０）の複数のソース線に階調信号を出力可能な表示ドライバ（１、２）であって、以下のように構成される。
【０１１９】
前記表示パネルの他の複数のソース線に階調信号を出力可能な他の表示ドライバとともに表示装置に搭載されることが可能である。
【０１２０】
前記表示ドライバと前記他の表示ドライバのそれぞれは、前記表示データに対応する階調信号を生成するための複数のグレースケール基準電圧を生成可能に構成される（２１＿１、２１＿２）。
【０１２１】
前記表示ドライバは、前記他の表示ドライバから、生成した前記複数のグレースケール基準電圧を順次受信可能に構成される（８４）。
【０１２２】
前記表示ドライバは、前記複数のグレースケール基準電圧に対応する複数のサンプル・ホールド回路（２３）を備え、前記伝送されたグレースケール基準電圧を、対応するサンプル・ホールド回路に取り込んで保持可能に構成され、保持されたグレースケール基準電圧に基づいて、自己の複数のグレースケール基準電圧を生成可能に構成される。
【０１２３】
これにより、簡単な回路を設けるだけで、マスター表示ドライバで生成されたグレースケール基準電圧を、スレーブ表示ドライバに複写して、マスター側と等しいグレースケール基準電圧を発生させるように制御することができる、スレーブ表示ドライバを提供することができる。
【０１２４】
〔２６〕＜単一チップ＞
項１３から項２５のうちのいずれか１項に記載される表示ドライバは、単一半導体基板上に形成される。
【０１２５】
これにより、集積化された表示ドライバＩＣを提供することができる。
【０１２６】
２．実施の形態の詳細
実施の形態について更に詳述する。
【０１２７】
〔実施形態１〕＜複数の表示ドライバ間でグレースケール基準電圧を順次伝送する表示装置＞
図１は、本発明に係る表示装置１００の構成例を表すブロック図である。
【０１２８】
表示装置１００は、表示データに基づいて、表示パネル９０の複数のソース線９１＿１に階調信号を出力可能な第１表示ドライバ１と、同じ表示パネル９０の他の複数のソース線９１＿２に階調信号を出力可能な第２表示ドライバ２とを備え、以下のように構成される。
【０１２９】
第１表示ドライバ１と第２表示ドライバ２は、それぞれ、ソース線駆動部２０＿１と２０＿２、階調電圧生成部２１＿１と２１＿２、及び制御回路９＿１と９＿２を含んで構成される。他に表示パネルのゲート線を駆動するための回路や、ホストプロセッサとのインターフェース回路を含んで構成されてもよい。ソース線駆動部２０＿１と２０＿２の出力は、複数のソース線駆動出力端子８２を介して、表示パネル９０のソース線駆動端子９２に電気的に接続される。表示パネル９０のソース線駆動端子９２は、直接またはデマルチプレクサを介すなどして、ソース線９１に接続される。第１表示ドライバ１は、ソース線９１＿１に対して、ソース線駆動部２０＿１から出力される階調信号を供給し、第２表示ドライバ２は、ソース線９１＿２に対して、ソース線駆動部２０＿２から出力される階調信号を供給する。
【０１３０】
第１表示ドライバ１と第２表示ドライバ２は、特に制限されないが、例えば、公知のＣＭＯＳ（Complementary Metal-Oxide-Semiconductor field effect transistor）半導体製造技術を用いて、それぞれ、シリコンなどの単一半導体基板上に形成され、表示パネル９０のガラス基板上に、フリップチップ実装される。このとき、各端子（８２〜８７）はパッド電極であり、バンプ（突起電極）により、表示パネル９０側の端子９２等と、電気的に接続される。
【０１３１】
ソース線駆動部２０＿１と２０＿２は、それぞれ、階調電圧生成部２１＿１と２１＿２から供給される、複数の階調電圧に基づいて、ソース線９１＿１と９１＿２を駆動する階調信号を出力する。ソース線駆動部２０＿１と２０＿２は、複数のソースアンプ３と階調電圧選択部４とラッチ５を含んで構成される。ラッチ５には、表示データがディジタル値で格納されている。表示データは例えば８ビットである。階調電圧選択部４には、階調電圧生成部２１＿１と２１＿２から供給される複数の階調電圧が供給されており、ラッチ５から入力される表示データに基づいて、複数の階調電圧から１つの階調を選択し、または２階調選択してその中間値を出力するなどにより、入力された表示データに対応する階調信号を生成する。階調電圧は例えば８０階調であり、８ビットの表示データの上位６〜７ビットによってそのうちの隣接する２階調を選択し、下位２ビットによって、その階調間の０、１／４、２／４、３／４、４／４などの中間的な電位の階調信号が出力される。階調電圧は例えば０Ｖ〜６Ｖであり、ラッチ５は低電圧の例えば１．３Ｖで動作するので、ラッチ５と階調電圧選択回路４との間には、図示が省略されたレベルシフト回路が設けられている。階調電圧選択回路４で生成された階調信号は、例えばボルテージフォロワ増幅回路で構成されるソースアンプ３を介してソース線駆動出力端子８２に出力される。
【０１３２】
階調電圧生成部２１＿１と２１＿２は、それぞれ、複数のＤＡ変換器８と複数のボルテージフォロワ増幅器７と抵抗ラダー６とを含んで構成される。複数のＤＡ変換器８はそれぞれ、制御回路９＿１または９＿２から供給され或いは入力部に設けられた図示されないレジスタに設定される、ディジタルのグレースケール基準電圧設定値を、アナログのグレースケール基準電圧に変換する。各ＤＡ変換器８には、参照電圧Ｖｒｅｆが供給されている。ＤＡ変換器８の出力であるアナログのグレースケール基準電圧は、ボルテージフォロワ増幅器７を介して抵抗ラダー６の各タップに接続される。抵抗ラダー６の各タップ間をさらに抵抗分圧することにより、複数の階調電圧が生成される。グレースケール基準電圧は、例えば１５レベルであり、ガンマ特性を近似するために、複数の階調電圧の折れ線状の特性を規定する。ガンマ特性は、接続される表示パネル９０の特性に基づいて規定される、表示データと階調信号レベルの関係を表す曲線状の特性であって、グレースケール基準電圧を設定することによって、折れ線で近似される。
【０１３３】
第１表示ドライバ１は、第２表示ドライバ２に対して、自己の生成した複数のグレースケール基準電圧を順次伝送可能に構成される。例えば、アナログマルチプレクサ１０を設け、制御回路９＿１により複数のグレースケール基準電圧を順次選択して、出力端子８３を介して出力する。
【０１３４】
第２表示ドライバ２は、順次伝送されたグレースケール基準電圧に基づいて、第１表示ドライバ１で生成されるグレースケール基準電圧と第２表示ドライバ２で生成されるグレースケール基準電圧との差の絶対値を小さくする較正を実行可能に構成される。ここで、「較正」は、第１表示ドライバ１と第２表示ドライバ２のどちらで実行されてもよい。詳細な実施態様は後述するが、第２表示ドライバ２で受信したグレースケール基準電圧と自己が発生したグレースケール基準電圧とを比較して差を求める。その差に基づいて、第１表示ドライバ１に対して較正値を返送して、第１表示ドライバ１側でグレースケール基準電圧を変更させても良いし、その差に基づいて、第２表示ドライバ２が、自身のグレースケール基準電圧を変更してもよい。
【０１３５】
以上のように、較正を行うことにより、第１表示ドライバ１で生成されるグレースケール基準電圧と第２表示ドライバ２で生成されるグレースケール基準電圧とを一致させることができる。ここで「一致」とは、工業的に通常発生する誤差を許容する範囲での一致を意味する。第１表示ドライバ１と第２表示ドライバ２との間の製造ばらつきや、供給される電源電圧の差により、複数の表示ドライバ間での出力電圧のばらつきが発生する恐れがある場合であっても、グレースケール基準電圧を一致させることによって、そのばらつきを抑えることができる。
【０１３６】
特許文献１に記載される技術では、１本のアナログ信号である階調基準電圧のみを受け渡して一致させることにより、複数の表示ドライバ（駆動回路部品）の間での出力電圧のばらつきを抑えようとしているのに対して、本発明では、複数のグレースケール基準電圧全てをそれぞれ一致させているので、複数の表示ドライバの間で、ガンマ特性を一致させることができる。即ち、階調信号のどのレベルでも、出力電圧のばらつきを抑えることができる。
【０１３７】
特許文献２に記載される技術では、複数の階調電圧をマスター表示ドライバからスレーブ表示ドライバに供給することにより、当該複数の階調電圧の全てを等しい電圧に揃えることができる。そのため、複数の階調電圧分の、入出力端子と表示パネル上の配線が必要である。これに対して本発明では、順次伝送しているので、１組の入出力端子８３と８４と１本の表示パネル上の配線があれば足りる。さらに、較正は表示動作を開始する以前に完了させるので、階調電圧を受け渡す信号線に、表示動作中に、ノイズが混入しても、表示には影響しない。
【０１３８】
以上述べたように、表示ドライバのチップ面積の増大や、表示パネルの配線面積の増加を最小限に抑え、且つノイズ耐性を高く保ちながら、複数の表示ドライバ間での出力電圧のばらつきを抑えることを可能とした、表示装置を提供することができる。
【０１３９】
複数の表示ドライバ間でグレースケール基準電圧を一致させる較正の動作は、比較・演算を繰り返しながら誤差を徐々に小さくする収束方式でも、誤差を１回で算出してフィードバックする解析的方式でも良い。また、較正期間中のノイズの影響を軽減するため、複数回の較正動作により、平均値で較正値を求め、或いは、多数決で較正値を求めることもできる。
【０１４０】
複数の表示ドライバ間でグレースケール基準電圧を一致させる較正は、例えば、表示装置の電源投入時に、パワーアップシーケンスの一環として実施される。これにより、表示装置や表示ドライバに経年変化があった場合にもそれに追随した較正を実施することができる。さらに、表示の帰線期間ごとに較正を実施してもよい。このとき、かならずしも複数のグレースケール基準電圧の全てについて１回の帰線期間内で較正を完了する必要はなく、複数の帰線期間に渡って順次実行すればよい。これにより、表示動作を継続しながらも逐次、較正を実行することができ、温度や電源電圧変動によって出力電圧にばらつきが生じる場合であっても、そのばらつきを抑えることができる。また、較正の結果を保持可能な不揮発性メモリを、表示ドライバ内もしくは外付けに備えることができる。不揮発性メモリには、上記のような較正を行った結果である、ＤＡ変換器８への入力データを格納しておき、動作時に読み出して較正されたグレースケール基準電圧を再現させることができる。
【０１４１】
複数の表示ドライバ間でグレースケール基準電圧を一致させる較正は、例えば、また、表示装置の出荷時に、装置のトリミングとして実行することができる。複数の表示ドライバ間での出力電圧のばらつきが、主に表示ドライバと表示パネルの特性によって発生し、経年変化や、温度依存性、電源電圧依存性が無視できる場合には、出荷時のトリミングのみを行えば十分である。トリミング値は、例えば、不揮発性メモリを、表示ドライバ内もしくは外付けに備えて、それに格納すればよい。
【０１４２】
本発明に係る表示装置１００の種々の実装形態について説明する。
【０１４３】
＜第２表示ドライバ（マスター）で算出した較正値を第１表示ドライバ（スレーブ）に返送＞
図２は、表示装置１００の第１の構成例を表す概略ブロック図である。表示装置１００は、表示パネル９０と、マスターとして機能する第２表示ドライバ２と、スレーブとして機能する第１表示ドライバ１とを含んで構成される。ここで「マスター」とは、同一表示パネルに接続される、複数の表示ドライバが存在するときに、グレースケール基準電圧の較正における基準となる表示ドライバを指し、「スレーブ」とはマスターのグレースケール基準電圧に一致させるように、自己のグレースケール基準電圧を調整する表示ドライバを指す。この用語の定義は、本明細書全体に適用される。
【０１４４】
第２表示ドライバ２は、端子８２と９２を介して表示パネル９０のソース線９１＿２に接続され、第１表示ドライバ１は、端子８２と９２を介して表示パネル９０のソース線９１＿１に接続されている。
【０１４５】
第２表示ドライバ２は、ソース線駆動部２０＿２と、階調電圧生成部２１＿２と、較正値算出部２９と、グレースケール基準電圧入力端子８４と、較正値出力端子８５とを備え、第１表示ドライバ１は、ソース線駆動部２０＿１と、階調電圧生成部２１＿１と、較正部３０と、グレースケール基準電圧出力端子８３と、較正値入力端子８６とを備える。第１表示ドライバ１において、階調電圧生成部２１＿１には図１に示したマルチプレクサ１０が含まれ、階調電圧生成部２１＿１の内部で発生した複数のグレースケール基準電圧が順次選択されて、グレースケール基準電圧出力端子８３から出力される。
【０１４６】
第２表示ドライバ２は、グレースケール基準電圧入力端子８４を介して受信した、順次伝送されたグレースケール基準電圧と自己の生成した複数のグレースケール基準電圧のうちの対応するグレースケール基準電圧とを、較正値算出部２９によって比較し、その結果に基づいて較正値を算出して、較正値出力端子８５から出力する。第１表示ドライバ１は較正値入力端子８６を介して受信した較正値に基づいて、較正部３０によって、自己の生成するグレースケール基準電圧を較正する。
【０１４７】
ここで、「較正値算出部」「較正部」は、制御回路９その他の回路で実現される機能を象徴的に示したものであって、必ずしもそのような特定の回路ブロックが実装される必要はない。これは、図２から図５について同様である。
【０１４８】
これにより、マスター（第２）表示ドライバ２が較正値を算出し、スレーブ（第１）表示ドライバ１が自己の発生するグレースケール基準電圧をマスター側に一致させる方向に較正する、表示装置１００を提供することができる。
【０１４９】
＜複数のスレーブ表示ドライバ＞
図３は、表示装置１００の第２の構成例を表す概略ブロック図である。１個のマスター（第２）表示ドライバ２と複数のスレーブを備える構成の一例として、第１表示ドライバ１＿１と第３表示ドライバ１＿３の２個のスレーブを備える構成例が示される。スレーブの数は任意である。図２との違いは、表示パネル９０のソース線９１＿３に接続される、第３表示ドライバ１＿３が追加されている点である。追加された第３表示ドライバ１＿３は、第１表示ドライバ１＿１と同様に、ソース線駆動部２０＿３と、階調電圧生成部２１＿３と、較正部３０＿３と、グレースケール基準電圧出力端子８３＿３と、較正値入力端子８６＿３とを備える。第３表示ドライバ１＿３の階調電圧生成部２１＿３にも図１に示したマルチプレクサ１０が含まれ、階調電圧生成部２１＿３の内部で発生した複数のグレースケール基準電圧が順次選択されて、グレースケール基準電圧出力端子８３＿３から出力される。第１表示ドライバ１＿１と第３表示ドライバ１＿３のグレースケール基準電圧出力端子８３＿１と８３＿３は、配線で短絡されて、マスター（第２）表示ドライバ２のグレースケール基準電圧出力端子８４に接続される。信号の衝突を避けるために、第１表示ドライバ１と第３表示ドライバ３はそれぞれアナログスイッチ２２＿１と２２＿３を備える。これに代えて、マスター（第２）表示ドライバ２に個別の入力端子を設けても良い。
【０１５０】
スレーブ（第１と第３）表示ドライバ１＿１と１＿３は、マスター（第２）表示ドライバ２に対して、それぞれ順次自己が発生したグレースケール基準電圧をグレースケール基準電圧出力端子８３＿１と８３＿３を介して送出する。マスター（第２）表示ドライバ２は順次較正値を算出してスレーブ（第１と第３）表示ドライバ１＿１と１＿３に返送する。返送されたスレーブ（第１と第３）表示ドライバ１＿１と１＿３は、返送された較正値に基づいて、自己が発生するグレースケール基準電圧を較正する。
【０１５１】
これにより、１個のマスター（第２）表示ドライバと複数個のスレーブ（第１、第３等）表示ドライバを備える表示装置において、表示ドライバのチップ面積の増大や、表示パネルの配線面積の増加を最小限に抑え、且つノイズ耐性を高く保ちながら、複数の表示ドライバ間での出力電圧のばらつきを抑えることができる。
【０１５２】
＜第１表示ドライバ（マスター）から伝送されるグレースケール基準電圧を基準に、第２表示ドライバ（スレーブ）が自己較正＞
図４は、表示装置の第３の構成例を表す概略ブロック図である。表示装置１００は、表示パネル９０と、マスターとして機能する第１表示ドライバ１と、スレーブとして機能する第２表示ドライバ２とを含んで構成される。
【０１５３】
第１表示ドライバ１は、端子８２と９２を介して表示パネル９０のソース線９１＿１に接続され、第２表示ドライバ２は、端子８２と９２を介して表示パネル９０のソース線９１＿２に接続されている。
【０１５４】
第１表示ドライバ１は、ソース線駆動部２０＿１と、階調電圧生成部２１＿１と、グレースケール基準電圧出力端子８３とを備え、第２表示ドライバ２は、ソース線駆動部２０＿２と、階調電圧生成部２１＿２と、較正値算出部２９と、グレースケール基準電圧入力端子８４と、較正部３０とを備える。第１表示ドライバ１において、階調電圧生成部２１＿１には図１に示したマルチプレクサ１０が含まれ、階調電圧生成部２１＿１の内部で発生した複数のグレースケール基準電圧が順次選択されて、グレースケール基準電圧出力端子８３から出力される。
【０１５５】
第２表示ドライバ２は、グレースケール基準電圧入力端子８４を介して受信した、順次伝送されたグレースケール基準電圧と自己の生成した前記複数のグレースケール基準電圧のうちの対応するグレースケール基準電圧とを、較正値算出部２９によって比較し、その比較の結果に基づいて、較正部３０によって、自己の生成するグレースケール基準電圧を較正する。スレーブ（第２）表示ドライバは、マスター（第１）表示ドライバから順次伝送されたグレースケール基準電圧を、自己が生成したグレースケール基準電圧と比較することによって、スレーブ（第２）表示ドライバが自己の発生するグレースケール基準電圧をマスター側に一致させる方向に較正する。
【０１５６】
これにより、マスター（第１）表示ドライバから伝送されるグレースケール基準電圧を基準に、スレーブ（第２）表示ドライバが、自己の発生するグレースケール基準電圧をマスター側に一致させる方向に自律的に較正する、表示装置を提供することができる。
【０１５７】
＜複数のスレーブ（第２、第４等）表示ドライバが並列に自己較正＞
図５は、表示装置の第４の構成例を表す概略ブロック図である。１個のマスター（第１）表示ドライバ１と複数のスレーブを備える構成の一例として、第２表示ドライバ２＿２と第４表示ドライバ２＿３の２個のスレーブを備える構成例が示される。スレーブの数は任意である。図４との違いは、表示パネル９０のソース線９１＿３に接続される、第４表示ドライバ２＿３が追加されている点である。追加された第４表示ドライバ２＿３は、第２表示ドライバ２＿２と同様に、ソース線駆動部２０＿３と、階調電圧生成部２１＿３と、較正値算出部２９と、グレースケール基準電圧入力端子８４＿３と、較正部３０＿３とを備える。
【０１５８】
マスターである第１表示ドライバ１は、第２表示ドライバ２＿２と第４表示ドライバ２＿３に対して並行して、自己の生成した複数のグレースケール基準電圧を、グレースケール基準電圧出力端子８３を介して順次送出する。第２表示ドライバ２＿２は、グレースケール基準電圧入力端子８４＿２を介して受信した、順次伝送されたグレースケール基準電圧と自己の生成した前記複数のグレースケール基準電圧のうちの対応するグレースケール基準電圧とを、較正値算出部２９＿２によって比較し、その比較の結果に基づいて、較正部３０＿２によって、自己の生成するグレースケール基準電圧を較正する。これと並行に、第４表示ドライバ２＿４も、グレースケール基準電圧入力端子８４＿３を介して受信した、順次伝送されたグレースケール基準電圧と自己の生成した前記複数のグレースケール基準電圧のうちの対応するグレースケール基準電圧とを、較正値算出部２９＿３によって比較し、その比較の結果に基づいて、較正部３０＿３によって、自己の生成するグレースケール基準電圧を較正する。マスター（第１）表示ドライバ１は、複数個のスレーブ（第２、第４等）表示ドライバ２＿２と２＿３に対して並行に、自己が発生した複数のグレースケール基準電圧を順次送出し、複数個のスレーブ（第２、第４等）表示ドライバ２＿２と２＿３は、それぞれ、自己が発生するグレースケール基準電圧を受信した、マスターのグレースケール基準電圧に一致させる方向に較正する。
【０１５９】
これにより、１個のマスター（第１）表示ドライバと複数個のスレーブ（第２、第４等）表示ドライバを備える表示装置において、表示ドライバのチップ面積の増大や、表示パネルの配線面積の増加を最小限に抑え、且つノイズ耐性を高く保ちながら、複数の表示ドライバ間での出力電圧のばらつきを抑えることができる。
【０１６０】
＜まとめ＞
マスターとスレーブの表示ドライバは、別品種の表示ドライバＩＣとして実現しても良いし、マスターモードとスレーブモードの２つの動作モードを持つ１つの品種として実現しても良い。
【０１６１】
別品種として実現される場合、上記図３に示される実施態様では、比較的回路規模が大きい、較正値算出部をマスター表示ドライバにのみ設ければ済むのに対して、図５に示される実施態様では、較正値算出部を各スレーブ表示ドライバに設ける必要があるため、図３に示される実施態様の方が、チップコストは低い。また、図５に示される実施態様では、各スレーブ表示ドライバに設けられた較正値算出部の相互ばらつきの影響を受けるが、図３に示される実施態様ではその問題がない。これは、マスターとスレーブの表示ドライバを、別品種の表示ドライバＩＣとして実現した場合も、マスターモードとスレーブモードの２つの動作モードを持つ１つの品種として実現した場合も同様である。
【０１６２】
図３に示される実施態様では、複数のスレーブに対する較正を、順次または時分割で実行する必要があるのに対し、図５に示される実施態様では、複数のスレーブに対して並行に較正を実行することができるので、より短時間で較正を実行することができる。
【０１６３】
グレースケール基準電圧は、表示ドライバ間でアナログ信号として伝送されるが、較正を行うための比較は、アナログで行っても、ディジタルで行っても良い。以下に詳述する、実施形態２〜実施形態４は、そのうちの中の代表的な実施形態である。実施形態２と３はディジタル値で比較して較正を行う例であり、実施形態４と５はアナログ電圧で比較して較正を行う例である。
【０１６４】
〔実施形態２〕＜マスターにＡＤＣを搭載してディジタル値で比較＞
図６は、本発明の実施形態２に係る表示ドライバの構成例を表すブロック図である。
【０１６５】
図２を引用して説明した、スレーブ表示ドライバ１からマスター表示ドライバ２にグレースケール基準電圧を順次伝送し、マスター側で、自己が生成したグレースケール基準電圧と受信したグレースケール基準電圧の比較を行うことによって較正値を算出し、算出した較正値をマスター表示ドライバ２からスレーブ表示ドライバ１に返送する構成である。図６には、マスター表示ドライバ２とスレーブ表示ドライバ１のみが示され、表示パネル９０は図示を省略されている。また、表示ドライバ１と２の内部は、ソース線駆動部２０＿１と２０＿２等は省略され、階調電圧生成部２１＿１と２１＿２と、制御回路（コントロールロジック）９＿１と９＿２を含む較正値算出部２９の具体的な構成例が、詳しく示される。この構成は、図３に示される、１個のマスター表示ドライバと複数個のスレーブ表示ドライバを備える表示装置１００にも、同様に適用され得る。
【０１６６】
スレーブ表示ドライバ１とマスター表示ドライバ２において、複数のＤＡ変換器８と複数のボルテージフォロワ増幅器７と抵抗ラダー６は、それぞれ、階調電圧生成部２１＿１と２１＿２を構成している。複数のボルテージフォロワ増幅器７からは、それぞれのタップのグレースケール基準電圧が出力され、抵抗ラダー６に供給されている。
【０１６７】
スレーブ表示ドライバ１において、各タップのグレースケール基準電圧は、マルチプレクサ１０に入力され、コントロールロジック９＿１によって選択される１個のグレースケール基準電圧が、グレースケール基準電圧出力端子８３から出力される。
【０１６８】
マスター表示ドライバ２において、較正値算出部２９は、マルチプレクサ１１とマルチプレクサ１２とＡＤ変換器１３とメモリ１７と比較・演算部１８とコントロールロジック９＿２を含んで構成される。マルチプレクサ１１と１２はそれぞれ、入力された複数の信号から１つの信号を選択して、選択された信号のアナログ電圧を出力する、アナログマルチプレクサである。ＡＤ変換器１３は、アナログ電圧をディジタル値に変換する回路で、特に制限されないが例えば、逐次比較型、シグマデルタ型等の方式が採用される。メモリ１７は、特に制限されないが例えば、ＳＲＡＭ（Static Random Access Memory）やレジスタによって構成される。比較・演算部１８はメモリ１７にアクセス可能に構成され、メモリ１７から読み出したデータ間の演算を行い、結果をメモリ１７に書き込むことができる。コントロールロジック９＿２がＭＰＵ（Micro Processing Unit）などのプロセッサで構成されるときに、その機能の一部として実装されてもよい。
【０１６９】
表示ドライバ１と２の動作について説明する。
【０１７０】
スレーブ表示ドライバ１において、各タップのグレースケール基準電圧は、マルチプレクサ１０によって順次選択されて、グレースケール基準電圧出力端子８３から出力される。
【０１７１】
マスター表示ドライバ２において、各タップのグレースケール基準電圧は、マルチプレクサ１１に入力され、コントロールロジック９＿２によって選択される１個のグレースケール基準電圧が、マルチプレクサ１２の一方の入力端子に入力される。マルチプレクサ１２の他方の入力端子には、グレースケール基準電圧入力端子８４から入力された、スレーブ表示ドライバ１のグレースケール基準電圧が入力される。コントロールロジック９＿２によって選択される一方のグレースケール基準電圧が、マルチプレクサ１２からＡＤ変換器１３に入力される。ＡＤ変換器１３の出力はメモリ１７に格納される。比較・演算部１８は、ディジタル化されたグレースケール基準電圧を読み出して、比較、演算等を行うことにより、較正値を算出する。
【０１７２】
スレーブ表示ドライバ１内で生成された複数のグレースケール基準電圧は、マルチプレクサ１１で順次選択され、マルチプレクサ１２を経由してＡＤ変換器１３に入力され、ディジタル値に変換されて、変換結果であるディジタル値がメモリ１７に格納される。グレースケール基準電圧入力端子８４から入力された、スレーブ表示ドライバ１の複数のグレースケール基準電圧も、順次、マルチプレクサ１２を経由してＡＤ変換器１３に入力され、ディジタル値に変換されて、変換結果であるディジタル値がメモリ１７に格納される。比較・演算部１８は、互いに対応するタップどうしの、スレーブ表示ドライバ１のグレースケール基準電圧とマスター表示ドライバ２のグレースケール基準電圧とを読出して比較し、スレーブ表示ドライバ１のグレースケール基準電圧の較正値を算出する。算出された較正値は、コントロールロジック９＿２から較正値出力端子８５を通してマスター表示ドライバ１に送出される。較正値を受信したマスター表示ドライバ１は、較正値を各タップのＤＡ変換器８に供給することにより、グレースケール基準電圧を較正する。
【０１７３】
図７は、本発明の実施形態２に係る表示ドライバの動作例を表すフローチャートである。
【０１７４】
スレーブ表示ドライバ１の第ｎタップのグレースケール基準電圧を較正する場合の動作例である。
【０１７５】
マスター表示ドライバ２において、マルチプレクサ１１によって第ｎタップＴＡＰｍ＿ｎを選択し（Ｓ２）、マルチプレクサ１２によってマスター側を選択し（Ｓ３）、マスター側の第ｎタップのグレースケール基準電圧をＡＤ変換器１３に入力してディジタル値に変換し（Ｓ４）、その変換結果（ＭＳ）をメモリ１７に格納する（Ｓ５）。
【０１７６】
次に、スレーブ表示ドライバ１において、マルチプレクサ１０によって第ｎタップＴＡＰｓ＿ｎを選択して（Ｓ６）、第ｎタップのグレースケール基準電圧をグレースケール基準電圧出力端子８３から出力する。マスター表示ドライバ２では、マルチプレクサ１２によってスレーブ側を選択する（Ｓ７）。スレーブ表示ドライバ１において、第ｎタップのグレースケール基準電圧のための、ＤＡ変換器８の入力データＤｓｎにゼロ（０）を設定する（Ｓ８）。マスター表示ドライバ２では、グレースケール基準電圧入力端子８４から入力された、スレーブ側の第ｎタップのグレースケール基準電圧をＡＤ変換器１３に入力してディジタル値に変換し（Ｓ９）、その変換結果（ＳＬ）をメモリ１７に格納する（Ｓ１０）。メモリ１７からマスター側のデータＭＳとスレーブ側のデータＳＬとを読み出して、比較・演算部１８によって、その差Ｄ＝ＭＳ−ＳＬを算出する（Ｓ１１）。ＤＡ変換器８の入力データＤｓｎを算出した差によって補正（Ｄｓｎ＝Ｄｓｎ＋Ｄ）する（Ｓ１３）。差Ｄの絶対値が所定の誤差未満になるまで、ステップＳ９からＳ１３を繰り返す（Ｓ１２）。図７のＳ１２においてＤ＝０と表記されるのは、差Ｄの絶対値が所定の誤差未満か否かの判断を示すものである。差Ｄの絶対値が所定の誤差未満になれば、第ｎタップＴＡＰｓ＿ｎの較正を終了する（Ｓ２０）。差Ｄ＝０になれば、マスターとスレーブの第ｎタップのグレースケール基準電圧は一致する。工業的に許容される範囲内の誤差以内に入れば、一致したものとして較正を終了してよい。
【０１７７】
上記の各ステップを全てのタップについて繰り返すことにより、スレーブ表示ドライバ１の全てのタップにおいて、グレースケール基準電圧を、マスター表示ドライバ２の対応するタップのグレースケール基準電圧に、一致させることができる。
【０１７８】
図８は、本発明の実施形態２に係る表示ドライバの別の動作例を表すフローチャートである。
【０１７９】
図７と同様に、スレーブ表示ドライバ１の第ｎタップのグレースケール基準電圧を較正する場合の動作例であり、ステップＳ１からＳ１０は上述と同様である。図７に示した動作例では、ステップＳ１１において、マスター側のデータＭＳとスレーブ側のデータＳＬの差Ｄ＝ＭＳ−ＳＬを算出するのに対して、ＭＳとＳＬが一致しているか否かを判定し（Ｓ１４）、不一致の場合にはスレーブ側のＤＡ変換器８の入力データＤｓｎを１だけ増やす（Ｓ１５）。ステップＳ９、Ｓ１０，Ｓ１４，Ｓ１５をマスター側のデータＭＳとスレーブ側のデータＳＬが一致するまで繰り返し、一致したら終了する（Ｓ２０）。
【０１８０】
上記の各ステップを全てのタップについて繰り返すことにより、スレーブ表示ドライバ１の全てのタップにおいて、グレースケール基準電圧を、マスター表示ドライバ２の対応するタップのグレースケール基準電圧に、一致させることができる。
【０１８１】
〔実施形態３〕＜スレーブにＡＤＣを搭載してディジタル値で比較＞
図９は、本発明の実施形態３に係る表示ドライバの構成例を表すブロック図である。
【０１８２】
図４を引用して説明した、マスター表示ドライバ１からスレーブ表示ドライバ２に較正の基準となるグレースケール基準電圧を順次伝送し、スレーブ側で、自己が生成したグレースケール基準電圧と受信したグレースケール基準電圧の比較を行うことによって、スレーブ表示ドライバ２で生成するグレースケール基準電圧を較正する構成である。図９には、マスター表示ドライバ１とスレーブ表示ドライバ２のみが示され、表示パネル９０は図示を省略されている。また、表示ドライバ１と２の内部は、ソース線駆動部２０＿１と２０＿２等は省略され、階調電圧生成部２１＿１と２１＿２と、制御回路（コントロールロジック）９＿１と９＿２を含む較正値算出部２９と較正部３０の具体的な構成例が、詳しく示される。この構成は、図５に示される、１個のマスター表示ドライバと複数個のスレーブ表示ドライバを備える表示装置１００にも、同様に適用され得る。
【０１８３】
マスター表示ドライバ１とスレーブ表示ドライバ２において、複数のＤＡ変換器８と複数のボルテージフォロワ増幅器７と抵抗ラダー６は、それぞれ、階調電圧生成部２１＿１と２１＿２を構成している。複数のボルテージフォロワ増幅器７からは、それぞれのタップのグレースケール基準電圧が出力され、抵抗ラダー６に供給されている。
【０１８４】
マスター表示ドライバ１において、各タップのグレースケール基準電圧は、マルチプレクサ１０に入力され、コントロールロジック９＿１によって選択される１個のグレースケール基準電圧が、グレースケール基準電圧出力端子８３から出力される。
【０１８５】
スレーブ表示ドライバ２において、較正値算出部２９と較正部３０は、マルチプレクサ１１とマルチプレクサ１２とＡＤ変換器１３とメモリ１７と比較・演算部１８とコントロールロジック９＿２を含んで構成される。各タップのグレースケール基準電圧は、マルチプレクサ１１に入力され、コントロールロジック９＿２によって選択される１個のグレースケール基準電圧が、マルチプレクサ１２の一方の入力端子に入力される。マルチプレクサ１２の他方の入力端子には、グレースケール基準電圧入力端子８４から入力された、マスター表示ドライバ１のグレースケール基準電圧が入力される。コントロールロジック９＿２によって選択される一方のグレースケール基準電圧が、マルチプレクサ１２からＡＤ変換器１３に入力される。ＡＤ変換器１３の出力はメモリ１７に格納される。比較・演算部１８は、ディジタル化されたグレースケール基準電圧を読み出して、比較、演算等を行うことにより、較正値を算出する。
【０１８６】
コントロールロジック９＿１とコントロールロジック９＿２は、制御情報入出力端子８７を介して互いに通信することができるように、接続されている。実施形態２とは異なり、較正値を送受する必要はないので、この通信路は、表示の同期のために使用される。
【０１８７】
表示ドライバ１と２の動作について説明する。
【０１８８】
スレーブ表示ドライバ２内で生成された複数のグレースケール基準電圧は、マルチプレクサ１１で順次選択され、マルチプレクサ１２を経由してＡＤ変換器１３に入力され、ディジタル値に変換されて、変換結果であるディジタル値がメモリ１７に格納される。グレースケール基準電圧入力端子８４から入力された、マスター表示ドライバ１の複数のグレースケール基準電圧も、順次、マルチプレクサ１２を経由してＡＤ変換器１３に入力され、ディジタル値に変換されて、変換結果であるディジタル値がメモリ１７に格納される。比較・演算部１８は、互いに対応するタップどうしの、マスター表示ドライバ１のグレースケール基準電圧とスレーブ表示ドライバ２のグレースケール基準電圧とを読出して比較し、スレーブ表示ドライバ２のグレースケール基準電圧の較正値を算出する。スレーブ表示ドライバ２は、算出された較正値を、コントロールロジック９＿２を介して階調電圧生成部２１＿２の対応するタップのＤＡ変換器８に入力することにより、当該タップのグレースケール基準電圧を較正する。
【０１８９】
本実施形態３に係る表示ドライバの動作は、図７と図８を引用して説明した、実施形態２に係る表示ドライバの動作と同様である。実施形態２では、マスター表示ドライバ２が図７と図８のフローチャートに示される動作を実行するのに対して、本実施形態３に係る表示ドライバでは、スレーブ表示ドライバ２が図７と図８のフローチャートに示される動作を実行する。
【０１９０】
〔実施形態４〕＜マスターにコンパレータを搭載してアナログ電圧で比較＞
図１０は、本発明の実施形態４に係る表示ドライバの構成例を表すブロック図である。
【０１９１】
実施形態２（図６）と同様に、図２を引用して説明した、スレーブ表示ドライバ１からマスター表示ドライバ２にグレースケール基準電圧を順次伝送し、マスター側で、自己が生成したグレースケール基準電圧と受信したグレースケール基準電圧の比較を行うことによって較正値を算出し、算出した較正値をマスター表示ドライバ２からスレーブ表示ドライバ１に返送する構成である。実施形態２（図６）がグレースケール基準電圧をディジタル化して比較し、較正値を求めたのに対し、本実施形態では、アナログ電圧のまま比較を行う。図１０には、マスター表示ドライバ２とスレーブ表示ドライバ１のみが示され、表示パネル９０は図示を省略されている。また、表示ドライバ１と２の内部は、ソース線駆動部２０＿１と２０＿２等は省略され、階調電圧生成部２１＿１と２１＿２と、制御回路（コントロールロジック）９＿１と９＿２を含む較正値算出部２９の具体的な構成例が、詳しく示される。この構成は、図３に示される、１個のマスター表示ドライバと複数個のスレーブ表示ドライバを備える表示装置１００にも、同様に適用され得る。
【０１９２】
スレーブ表示ドライバ１とマスター表示ドライバ２において、複数のＤＡ変換器８と複数のボルテージフォロワ増幅器７と抵抗ラダー６は、それぞれ、階調電圧生成部２１＿１と２１＿２を構成している。複数のボルテージフォロワ増幅器７からは、それぞれのタップのグレースケール基準電圧が出力され、抵抗ラダー６に供給されている。
【０１９３】
スレーブ表示ドライバ１において、各タップのグレースケール基準電圧は、マルチプレクサ１０に入力され、コントロールロジック９＿１によって選択される１個のグレースケール基準電圧が、グレースケール基準電圧出力端子８３から出力される。
【０１９４】
マスター表示ドライバ２において、較正値算出部２９は、マルチプレクサ１１とクロスバースイッチ付きコンパレータ１４とメモリ１７と演算部１９とコントロールロジック９＿２を含んで構成される。マルチプレクサ１１には、各タップのグレースケール基準電圧が入力され、コントロールロジック９＿２によって指定されるタップのグレースケール基準電圧をクロスバースイッチ付きコンパレータ１４の一方の入力に供給する。クロスバースイッチ付きコンパレータ１４の他方の入力には、グレースケール基準電圧入力端子８４で受信した、スレーブ表示ドライバ１の各タップのグレースケール基準電圧が入力される。コンパレータ１４の出力はメモリ１７に格納される。演算部１９は、メモリ１７にアクセス可能に構成され、メモリ１７から読み出したデータ間の演算を行い、結果をメモリ１７に書き込むことができ、コントロールロジック９＿２がＭＰＵなどのプロセッサで構成されるときに、その機能の一部として実装されてもよい。
【０１９５】
図１１は、クロスバースイッチ付きコンパレータ１４の動作を説明するための回路図である。図１１に示されるように、クロスバースイッチ１５は、コンパレータ１６の入力を入れ替えることができるように構成される、（ａ）に示されるフェーズＡでは、ＶＩＮ１がＶＰに入力され、ＶＩＮ２がＶＭに入力される。（ｂ）に示されるフェーズＢでは、逆に、ＶＩＮ１はＶＭに入力され、ＶＩＮ２はＶＰに入力される。クロスバースイッチ１５によって入力を入れ替えることにより、コンパレータ１６の入力オフセットを相殺することができる。例えば、まずフェーズＡにおいて、ＶＩＮ１を固定してＶＩＮ２を徐々に増加し、コンパレータ１６の出力が反転する箇所を求める。次にフェーズＢにおいても同様に、ＶＩＮ１を固定してＶＩＮ２を徐々に増加し、コンパレータ１６の出力が反転する箇所を求める。コンパレータ１６に入力オフセットが無ければ、反転箇所はフェーズＡとフェーズＢで一致するが、入力オフセットがあれば不一致となる。フェーズＡとフェーズＢにおける反転箇所の中間値から、入力オフセットがない場合の反転箇所を推定することができる。この方法により、クロスバースイッチ付きコンパレータ１４を用いて、コンパレータ１６の入力オフセットを相殺することができる。
【０１９６】
図１２は、本発明の実施形態４に係る表示ドライバの動作例を表すフローチャートである。
【０１９７】
スレーブ表示ドライバ１の第ｎタップのグレースケール基準電圧を較正する場合の動作例である。
【０１９８】
マスター表示ドライバ２においてマルチプレクサ１１によって第ｎタップＴＡＰｍ＿ｎを選択し、スレーブ表示ドライバ１においてマルチプレクサ１０によって第ｎタップＴＡＰｓ＿ｎを選択し、クロスバースイッチ付きコンパレータ１４のＶＩＮ１にマスター表示ドライバ２のマルチプレクサ１１の出力を、ＶＩＮ２にスレーブ表示ドライバ１のマルチプレクサ１０の出力を、それぞれ供給する（Ｓ２１）。クロスバースイッチ１５をフェーズＡに設定する（Ｓ２２）。
【０１９９】
パラメータｉを使ったループを開始する。まずｉ＝０に初期化する（Ｓ２３）。スレーブ表示ドライバ１の第ｎタップのＤＡ変換器８の入力データＤｓｎとして、パラメータｉを入力する（Ｓ２４）。第ｎタップのＤＡ変換器８の入力データＤｓｎをデータＳＬＡとしてメモリ１７に格納しておく（Ｓ２５）。コンパレータ１４による比較を行い（Ｓ２６）、コンパレータ出力ＣＭＰを、ｉ番目のコンパレータ出力Ｄ＿ＣＭＰ（ｉ）として、メモリに格納する（Ｓ２７）。ループにおける１回前の、ｉ−１番目のコンパレータ出力Ｄ＿ＣＭＰ（ｉ−１）と、ｉ番目のコンパレータ出力Ｄ＿ＣＭＰ（ｉ）とを比較し（Ｓ２８）、一致していれば、パラメータｉを増や（＋１）して（Ｓ２９）、ステップＳ２４に戻る。パラメータｉを１ずつ増やしながら、ｉ−１番目のコンパレータ出力Ｄ＿ＣＭＰ（ｉ−１）とｉ番目のコンパレータ出力Ｄ＿ＣＭＰ（ｉ）とが一致するまで繰り返し、一致した時点でループを抜ける。ループを抜けた時点で、フェーズＡでコンパレータ出力Ｄ＿ＣＭＰが反転する箇所のＤＡ変換器８の入力データＤｓｎが、ＳＬＡとしてメモリ１７に保持されている。
【０２００】
次に、クロスバースイッチ１５をフェーズＢに設定し（Ｓ３０）、パラメータｊを使った同様のループを開始する。まずｊ＝０に初期化する（Ｓ３１）。スレーブ表示ドライバ１の第ｎタップのＤＡ変換器８の入力データＤｓｎとして、パラメータｊを入力する（Ｓ３２）。第ｎタップのＤＡ変換器８の入力データＤｓｎをデータＳＬＢとしてメモリ１７に格納しておく（Ｓ３３）。コンパレータ１４による比較を行い（Ｓ３４）、コンパレータ出力ＣＭＰを、ｊ番目のコンパレータ出力Ｄ＿ＣＭＰ（ｊ）として、メモリに格納する（Ｓ３５）。ループにおける１回前の、ｊ−１番目のコンパレータ出力Ｄ＿ＣＭＰ（ｊ−１）と、ｊ番目のコンパレータ出力Ｄ＿ＣＭＰ（ｊ）とを比較し（Ｓ３６）、一致していれば、パラメータｊを増や（＋１）して（Ｓ３７）、ステップＳ３２に戻る。パラメータｊを１ずつ増やしながら、ｊ−１番目のコンパレータ出力Ｄ＿ＣＭＰ（ｊ−１）とｊ番目のコンパレータ出力Ｄ＿ＣＭＰ（ｊ）とが一致するまで繰り返し、一致した時点でループを抜ける。ループを抜けた時点で、フェーズＢでコンパレータ出力Ｄ＿ＣＭＰが反転する箇所のＤＡ変換器８の入力データＤｓｎが、ＳＬＢとしてメモリ１７に保持されている。
【０２０１】
ＳＬＡとＳＬＢの平均値をＤＡ変換器８の入力データＤｓｎの較正値として算出し（Ｓ３８）、第ｎタップＴＡＰｓ＿ｎの較正を終了する（Ｓ４０）。
【０２０２】
上記の各ステップを全てのタップについて繰り返すことにより、スレーブ表示ドライバ１の全てのタップにおいて、グレースケール基準電圧を、マスター表示ドライバ２の対応するタップのグレースケール基準電圧に、一致させることができる。
【０２０３】
〔実施形態５〕＜スレーブにコンパレータを搭載してアナログ電圧で比較＞
図１３は、本発明の実施形態５に係る表示ドライバの構成例を表すブロック図である。
【０２０４】
実施形態３（図９）と同様に、図４を引用して説明した、マスター表示ドライバ１からスレーブ表示ドライバ２に較正の基準となるグレースケール基準電圧を順次伝送し、スレーブ側で、自己が生成したグレースケール基準電圧と受信したグレースケール基準電圧の比較を行うことによって、スレーブ表示ドライバ２で生成するグレースケール基準電圧を較正する構成である。実施形態３（図９）がグレースケール基準電圧をディジタル化して比較し、較正値を求めたのに対し、本実施形態では、アナログ電圧のまま比較を行う。図１３には、マスター表示ドライバ１とスレーブ表示ドライバ２のみが示され、表示パネル９０は図示を省略されている。また、表示ドライバ１と２の内部は、ソース線駆動部２０＿１と２０＿２等は省略され、階調電圧生成部２１＿１と２１＿２と、制御回路（コントロールロジック）９＿１と９＿２を含む較正値算出部２９と較正部３０の具体的な構成例が、詳しく示される。この構成は、図５に示される、１個のマスター表示ドライバと複数個のスレーブ表示ドライバを備える表示装置１００にも、同様に適用され得る。
【０２０５】
マスター表示ドライバ１とスレーブ表示ドライバ２において、複数のＤＡ変換器８と複数のボルテージフォロワ増幅器７と抵抗ラダー６は、それぞれ、階調電圧生成部２１＿１と２１＿２を構成している。複数のボルテージフォロワ増幅器７からは、それぞれのタップのグレースケール基準電圧が出力され、抵抗ラダー６に供給されている。
【０２０６】
マスター表示ドライバ１において、各タップのグレースケール基準電圧は、マルチプレクサ１０に入力され、コントロールロジック９＿１によって選択される１個のグレースケール基準電圧が、グレースケール基準電圧出力端子８３から出力される。
【０２０７】
スレーブ表示ドライバ２において、較正値算出部２９と較正部３０は、マルチプレクサ１１とクロスバースイッチ付きコンパレータ１４とメモリ１７と演算部１９とコントロールロジック９＿２を含んで構成される。マルチプレクサ１１には、各タップのグレースケール基準電圧が入力され、コントロールロジック９＿２によって指定されるタップのグレースケール基準電圧をクロスバースイッチ付きコンパレータ１４の一方の入力に供給する。クロスバースイッチ付きコンパレータ１４の他方の入力には、グレースケール基準電圧入力端子８４で受信した、マスター表示ドライバ１の各タップのグレースケール基準電圧が入力される。コンパレータ１４の出力はメモリ１７に格納される。演算部１９は、メモリ１７にアクセス可能に構成され、メモリ１７から読み出したデータ間の演算を行い、結果をメモリ１７に書き込むことができ、コントロールロジック９＿２がＭＰＵなどのプロセッサで構成されるときに、その機能の一部として実装されてもよい。
【０２０８】
コントロールロジック９＿１とコントロールロジック９＿２は、制御情報入出力端子８７を介して互いに通信することができるように、接続されている。実施形態２とは異なり、較正値を送受する必要はないので、この通信路は、表示の同期のために使用される。
【０２０９】
本実施形態５に係る表示ドライバの動作は、図１２を引用して説明した、実施形態４に係る表示ドライバの動作と同様である。実施形態４では、マスター表示ドライバ２が図１２のフローチャートに示される動作を実行するのに対して、本実施形態５に係る表示ドライバでは、スレーブ表示ドライバ２が図１２のフローチャートに示される動作を実行する。
【０２１０】
〔実施形態６〕＜スレーブにＳ／Ｈ回路を搭載してマスターの基準電圧をホールド＞
実施形態２から５で説明した表示ドライバは、マスターとスレーブの両方の表示ドライバそれぞれに複数のＤＡ変換器８を設けて、その入力データにグレースケール基準電圧に対応するディジタル値を設定することにより、所望のガンマ特性を近似する構成である。マスター側またはスレーブ側の一方から他方へ、複数のグレースケール基準電圧を順次伝送することにより、受信した側で較正値を算出しまたは実際に較正を行うことにより、スレーブ側のグレースケール基準電圧をマスター側に一致させる較正動作を行っている。
【０２１１】
グレースケール基準電圧は、必ずしもディジタル値で保持される必要はない。本実施形態６では、スレーブ側表示ドライバ２の階調電圧生成部２１＿２に、複数のＤＡ変換器８に代えて、複数のサンプル・ホールド（Ｓ／Ｈ：Sample and Hold）回路２３が設けられている。
【０２１２】
図１４は、本発明の実施形態６に係る表示ドライバの構成例を表すブロック図である。図１０には、マスター表示ドライバ１とスレーブ表示ドライバ２のみが示され、表示パネル９０は図示を省略されている。また、表示ドライバ１と２の内部は、ソース線駆動部２０＿１と２０＿２等は省略され、階調電圧生成部２１＿１と２１＿２と制御回路（コントロールロジック）９＿１と９＿２とを含む具体的な構成例が、詳しく示される。
【０２１３】
マスター表示ドライバ１においては、複数のＤＡ変換器８と複数のボルテージフォロワ増幅器７と抵抗ラダー６が、階調電圧生成部２１＿１を構成している。複数のボルテージフォロワ増幅器７からは、それぞれのタップのグレースケール基準電圧が出力され、抵抗ラダー６に供給されている。マスター表示ドライバ１において、各タップのグレースケール基準電圧は、マルチプレクサ１０に入力され、コントロールロジック９＿１によって選択される１個のグレースケール基準電圧が、グレースケール基準電圧出力端子８３から出力される。
【０２１４】
スレーブ表示ドライバ２においては、複数のサンプル・ホールド（Ｓ／Ｈ）回路２３と複数のボルテージフォロワ増幅器７と抵抗ラダー６が、階調電圧生成部２１＿２を構成している。グレースケール基準電圧入力端子８４から入力される、マスター側のグレースケール基準電圧が、コントロールロジック９＿２による制御によって順次、対応するサンプル・ホールド（Ｓ／Ｈ）回路２３にサンプルされ、ホールドされる。
【０２１５】
コントロールロジック９＿１とコントロールロジック９＿２は、制御情報入出力端子８７を介して互いに通信することができるように、接続されている。較正値を送受する必要はないので、この通信路は、グレースケール基準電圧の転送の同期のために使用される。表示動作の同期のためにも使用することができる。
【０２１６】
図１５は、本発明の実施形態６に係る表示ドライバの動作例を表すフローチャートである。
【０２１７】
スレーブ表示ドライバ２の第ｎタップのグレースケール基準電圧を、マスター表示ドライバ１の同じ第ｎタップのグレースケール基準電圧と一致させる場合の動作例である。
【０２１８】
まず、マスター表示ドライバ１において、マルチプレクサ１０により第ｎタップを選択する（Ｓ５２）。次にスレーブ表示ドライバ２において、対応する第ｎサンプル・ホールド回路Ｓ／Ｎｓｎをサンプル状態にし（Ｓ５３）、その後ホールド状態に遷移させる（Ｓ５４）。以上で第ｎタップのグレースケール基準電圧のサンプル・ホールド動作は完了する（Ｓ６０）。
【０２１９】
上記の各ステップを全てのタップについて繰り返すことにより、スレーブ表示ドライバ２の全てのタップのサンプル・ホールド回路において、マスター表示ドライバ２の対応するタップのグレースケール基準電圧をアナログ的に保持することができる。
【０２２０】
これにより、簡単な回路を設けるだけで、マスター表示ドライバで生成されたグレースケール基準電圧を、スレーブ表示ドライバに複写して、マスター側と等しいグレースケール基準電圧を発生させるように制御することができる、スレーブ表示ドライバを提供することができる。
【０２２１】
このサンプル・ホールド動作は、表示装置１００への電源がオンされ、表示ドライバ１と２が起動された後、表示動作を開始する前の期間に実行され、その後は、垂直帰線（Ｖ−ｂｌａｎｋ）期間やライン周期の合間に、繰り返し実行される。サンプル・ホールド回路には電荷のリークがあるので、これをリフレッシュする必要があるためである。
【０２２２】
以上本発明者によってなされた発明を実施形態に基づいて具体的に説明したが、本発明はそれに限定されるものではなく、その要旨を逸脱しない範囲において種々変更可能であることは言うまでもない。
【０２２３】
例えば、本明細書では主に液晶表示パネルを有する表示装置について例を挙げて説明したが、本発明は、画素毎に階調電圧を持った信号で駆動されるアクティブマトリクス型の表示装置に広く適用することができ、例えば、有機ＥＬ（organic electroluminescence display: OELD）表示装置、プラズマディスプレイなどに適用することができる。
【符号の説明】
【０２２４】
１、２  表示ドライバ
３  ソースアンプ
４  階調電圧選択部
５  ラッチ
６  抵抗ラダー
７  ボルテージフォロワ増幅器
８  ＤＡ変換器
９  コントロールロジック(制御回路)
１０、１１、１２  マルチプレクサ
１３  ＡＤ変換器
１４  クロスバースイッチ付きコンパレータ
１５  クロスバースイッチ
１６  コンパレータ
１７  記憶回路（メモリ、レジスタ等）
１８  比較・演算部
１９  演算部
２０  ソース線駆動部
２１  階調電圧生成部
２２  アナログスイッチ
２３  サンプル・ホールド（Ｓ／Ｈ）回路
２９  較正値算出部
３０  較正部
８２  ソース線駆動出力端子
８３  グレースケール基準電圧出力端子
８４  グレースケール基準電圧入力端子
８５  較正値出力端子
８６  較正値入力端子
８７  制御情報入出力端子
９０  表示パネル
９１  ソース線
９２  ソース線駆動端子
【図１】
2015079187.tif 000003
【図２】
2015079187.tif 000004
【図３】
2015079187.tif 000005
【図４】
2015079187.tif 000006
【図５】
2015079187.tif 000007
【図６】
2015079187.tif 000008
【図７】
2015079187.tif 000009
【図８】
2015079187.tif 000010
【図９】
2015079187.tif 000011
【図１０】
2015079187.tif 000012
【図１１】
2015079187.tif 000013
【図１２】
2015079187.tif 000014
【図１３】
2015079187.tif 000015
【図１４】
2015079187.tif 000016
【図１５】
2015079187.tif 000017